(57)【要約】本願は、マルチキャリア通信のためのキャリア・スイッチング解決策を開示する。ネットワーク装置が、構成情報を端末に送信する。構成情報は、第一の上りリンク・キャリア情報および第二の上りリンク・キャリア情報を含む。第一の上りリンク・キャリア情報は、第一の上りリンク・キャリアがSRSスイッチング元上りリンク・キャリアであることを示すために使用される。第二の上りリンク・キャリア情報は、第二の上りリンク・キャリアがSRSスイッチング先上りリンク・キャリアであることを示すために使用される。第一の上りリンク・キャリアおよび第二の上りリンク・キャリアの少なくとも一つは、補足上りリンク（SUL）・キャリアを含むセルに属する。端末は、構成情報に基づいて、複数の構成された上りリンク・キャリアにおいて、SRSスイッチング元上りリンク・キャリアおよびSRSスイッチング先上りリンク・キャリアを決定することができる。
2021503834.tif 000002
【特許請求の範囲】
【請求項１】
無線通信方法であって、
構成情報を受信する段階であって、前記構成情報は、第一の上りリンク・キャリア情報および第二の上りリンク・キャリア情報を含み、
前記第一の上りリンク・キャリア情報は、第一の上りリンク・キャリアが、探測参照信号（SRS）キャリア・スイッチングのためのスイッチング元上りリンク・キャリアであることを示し、前記第二の上りリンク・キャリア情報は、第二の上りリンク・キャリアが、前記SRSキャリア・スイッチングのためのスイッチング先上りリンク・キャリアであることを示し、前記第一の上りリンク・キャリアおよび前記第二の上りリンク・キャリアの少なくとも一つは、補足上りリンク（SUL）・キャリアを含むセルに属する、段階と；
前記構成情報に基づいて、前記SRSキャリア・スイッチングのための前記スイッチング元上りリンク・キャリアおよび前記スイッチング先上りリンク・キャリアを決定する段階とを含む、
方法。
【請求項２】
下りリンク制御情報（DCI）を受信する段階を含み、前記DCIは、非周期的な探測参照信号（A-SRS）トリガー指示情報と、前記第二の上りリンク・キャリアの上りリンク・キャリア識別子とを搬送する、
請求項１に記載の方法。
【請求項３】
前記スイッチング先上りリンク・キャリアは、前記第二の上りリンク・キャリア情報、前記A-SRSトリガー指示情報、および前記上りリンク・キャリア識別子に従って決定される、請求項２に記載の方法。
【請求項４】
無線通信方法であって：
探測参照信号（SRS）の構成情報を送信する段階であって、前記構成情報は第一の上りリンク・キャリア情報および第二の上りリンク・キャリア情報を含む、段階を含み、
前記第一の上りリンク・キャリア情報は、第一の上りリンク・キャリアがSRSキャリア・スイッチングのためのスイッチング元上りリンク・キャリアであることを示し、前記第二の上りリンク・キャリア情報は、第二の上りリンク・キャリアが前記SRSキャリア・スイッチングのためのスイッチング先上りリンク・キャリアであることを示し、前記第一の上りリンク・キャリアおよび前記第二の上りリンク・キャリアの少なくとも一つは、補足上りリンク（SUL）・キャリアを含むセルに属する、
方法。
【請求項５】
下りリンク制御情報DCIを送信する段階であって、前記DCIは、非周期的な探測参照信号（A-SRS）トリガー指示情報と、前記第二の上りリンク・キャリアの上りリンク・キャリア識別子とを搬送する、段階を含む、
請求項４に記載の方法。
【請求項６】
前記第一の上りリンク・キャリア情報は、スイッチング元セルを示すために使用される情報と、前記スイッチング元上りリンク・キャリアを示すために使用される情報とを含む、請求項１ないし５のうちいずれか一項に記載の方法。
【請求項７】
前記第一の上りリンク・キャリアが属するスイッチング元セルが、上りリンクULキャリアおよび前記SULキャリアを含む、請求項１ないし６のうちいずれか一項に記載の方法。
【請求項８】
前記スイッチング元セルを識別する情報がセル識別子である、請求項６または７に記載の方法。
【請求項９】
前記スイッチング元上りリンク・キャリアを示すために使用される前記情報が上りリンク・キャリア識別子である、または前記スイッチング元上りリンク・キャリアを示すために使用される前記情報が、前記スイッチング元上りリンク・キャリアがULキャリアまたはSULキャリアであることを示す、請求項６または７に記載の方法。
【請求項１０】
前記上りリンク・キャリア識別子は：成分キャリア・インデックス、上りリンク・インデックス、副次セルSULインデックス、またはキャリアを識別するために使用可能な情報のうちの一つまたは複数である、請求項９に記載の方法。
【請求項１１】
前記第二の上りリンク・キャリア情報は、スイッチング先セルを示すために使用される情報と、前記スイッチング先キャリアを示すために使用される情報とを含む、請求項１ないし１０のうちいずれか一項に記載の方法。
【請求項１２】
前記第一の上りリンク・キャリア情報および前記第二の上りリンク・キャリア情報のうちの少なくとも一つは、セルを識別する情報および上りリンク・キャリアを識別する情報を含む、請求項１ないし１１のうちいずれか一項に記載の方法。
【請求項１３】
前記第二の上りリンク・キャリアが属するセルが前記SULキャリアを含む前記セルである場合、前記第二の上りリンク・キャリアは非SULキャリアである、請求項１ないし１２のうちいずれか一項に記載の方法。
【請求項１４】
前記第一の上りリンク・キャリアが属するセルが前記SULキャリアを含む前記セルである場合、前記第一の上りリンク・キャリアは、非物理上りリンク制御チャネル（非PUCCH）キャリアである、請求項１ないし１３のうちいずれか一項に記載の方法。
【請求項１５】
前記第一の上りリンク・キャリア情報および前記第二の上りリンク・キャリア情報の少なくとも一つは、新規キャリア・インジケーター・フィールド（NCIF）識別子であり、前記NCIF識別子は、前記第一の上りリンク・キャリアおよび／または前記第二の上りリンク・キャリアを示す、請求項１ないし５のうちいずれか一項に記載の方法。
【請求項１６】
前記NCIF識別子が、セル識別子および上りリンク・キャリア識別子を含む、請求項１５に記載の方法。
【請求項１７】
前記構成情報は、UEグループ・レベルDCIの情報ブロックにおける上りリンク・キャリアの位置を示し、前記上りリンク・キャリアは、物理上りリンク共有チャネル／物理上りリンク制御チャネル（PUSCH/PUCCH）を送信するために使用されず、前記UEグループ・レベルDCIの前記情報ブロックは、SRS電力制御情報、A-SRSトリガー指示情報、および前記PUSCH/PUCCHを送信するために使用されない前記上りリンク・キャリアの上りリンク・キャリア識別子情報のうちの少なくとも一つを含む、請求項１ないし１６のうちいずれか一項に記載の方法。
【請求項１８】
前記構成情報は、前記PUSCH/PUCCHを送信するために使用されない前記上りリンク・キャリアが属するキャリア・セット・インデックスと、前記キャリア・セット内のキャリア・インデックスとをさらに含む、請求項１ないし１６のうちいずれか一項に記載の方法。
【請求項１９】
通信装置であって、当該通信装置は、請求項１ないし１２のうちいずれか一項に記載の方法を実行するように構成される、通信装置。
【請求項２０】
通信装置であって、当該通信装置は、プロセッサと、メモリに含まれる命令とを備え、前記プロセッサが前記命令を実行するときに当該通信装置に請求項１ないし１８のうちいずれか一項に記載の方法を実施させる、通信装置。
【請求項２１】
命令を含むコンピュータ記憶媒体であって、前記命令がコンピュータ上で実行されると、前記コンピュータに請求項１ないし１８のうちいずれか一項に記載の方法を実行させる、コンピュータ記憶媒体。
【請求項２２】
コンピュータによって実行されると請求項１ないし１８のうちいずれか一項に記載の方法を前記コンピュータに実行させるコンピュータ・プログラム製品。
【請求項２３】
コンピュータによって実行されると請求項１１ないし１８のうちいずれか一項に記載の方法を前記コンピュータに実行させるコンピュータ・プログラム製品。
【請求項２４】
トランシーバ・ユニットと、処理ユニットとを有する端末であって、
前記トランシーバ・ユニットは、構成情報を受信するように構成され、前記構成情報は、第一の上りリンク・キャリア情報および第二の上りリンク・キャリア情報を含み、
前記第一の上りリンク・キャリア情報は、第一の上りリンク・キャリアが、探測参照信号（SRS）キャリア・スイッチングのためのスイッチング元上りリンク・キャリアであることを示し、前記第二の上りリンク・キャリア情報は、第二の上りリンク・キャリアが、前記SRSキャリア・スイッチングのためのスイッチング先上りリンク・キャリアであることを示し、前記第一の上りリンク・キャリアおよび前記第二の上りリンク・キャリアの少なくとも一つは、補足上りリンク（SUL）・キャリアを含むセルに属し；
前記処理ユニットは、前記構成情報に基づいて、前記SRSキャリア・スイッチングのための前記スイッチング元上りリンク・キャリアおよび前記スイッチング先上りリンク・キャリアを決定するよう構成されている、
端末。
【請求項２５】
前記トランシーバ・ユニットが、下りリンク制御情報（DCI）を受信するようさらに構成されており、前記DCIは、非周期的な探測参照信号（A-SRS）トリガー指示情報と、前記第二の上りリンク・キャリアの上りリンク・キャリア識別子とを搬送する、請求項２４に記載の端末。
【請求項２６】
前記処理ユニットが、前記スイッチング先上りリンク・キャリアを、前記第二の上りリンク・キャリア情報、前記A-SRSトリガー指示情報、および前記上りリンク・キャリア識別子に基づいて決定するよう構成されている、請求項２５に記載の端末。
【請求項２７】
前記第一の上りリンク・キャリア情報は、スイッチング元セルを示すために使用される情報と、前記スイッチング元キャリアを示すために使用される情報とを含む、請求項２４ないし２６のうちいずれか一項に記載の端末。
【請求項２８】
トランシーバ・ユニットと、処理ユニットとを有するネットワーク装置であって、前記トランシーバ・ユニットは：
探測参照信号（SRS）の構成情報を送信するよう構成されており、前記構成情報は第一の上りリンク・キャリア情報および第二の上りリンク・キャリア情報を含み、
前記第一の上りリンク・キャリア情報は、第一の上りリンク・キャリアがSRSキャリア・スイッチングのためのスイッチング元上りリンク・キャリアであることを示し、前記第二の上りリンク・キャリア情報は、第二の上りリンク・キャリアが前記SRSキャリア・スイッチングのためのスイッチング先上りリンク・キャリアであることを示し、前記第一の上りリンク・キャリアおよび前記第二の上りリンク・キャリアの少なくとも一つは、補足上りリンク（SUL）・キャリアを含むセルに属する、
ネットワーク装置。
【請求項２９】
前記トランシーバ・ユニットは、下りリンク制御情報DCIを送信するよう構成されており、前記DCIは、非周期的な探測参照信号（A-SRS）トリガー指示情報と、前記第二の上りリンク・キャリアの上りリンク・キャリア識別子とを搬送する、請求項２８に記載のネットワーク装置。
【請求項３０】
前記第一の上りリンク・キャリア情報は、前記スイッチング元セルを示すために使用される前記情報と、前記スイッチング元キャリアを示すために使用される前記情報とを含む、請求項２４ないし２９のうちいずれか一項に記載の端末またはネットワーク装置。
【請求項３１】
前記第一の上りリンク・キャリアが属するスイッチング元セルが、上りリンクULキャリアおよび前記SULキャリアを含む、請求項２４ないし３０のうちいずれか一項に記載の端末またはネットワーク装置。
【請求項３２】
前記スイッチング元セルを識別する前記情報がセル識別子である、請求項３０または３１に記載の端末またはネットワーク装置。
【請求項３３】
前記スイッチング元キャリアを示すために使用される前記情報が前記上りリンク・キャリア識別子である、または前記スイッチング元キャリアがULキャリアまたはSULキャリアであることを示す、請求項３０または３１に記載の端末またはネットワーク装置。
【請求項３４】
前記上りリンク・キャリア識別子は：成分キャリア・インデックス、上りリンク・インデックス、副次セルSULインデックス、またはキャリアを識別するために使用可能な情報のうちの一つまたは複数である、請求項３３に記載の端末またはネットワーク装置。
【請求項３５】
前記第二の上りリンク・キャリア情報は、スイッチング先セルを示すために使用される情報と、前記スイッチング先キャリアを示すために使用される情報とを含む、請求項２４ないし３４のうちいずれか一項に記載の端末またはネットワーク装置。
【請求項３６】
前記第一の上りリンク・キャリア情報および前記第二の上りリンク・キャリア情報のうちの少なくとも一つは、セルを示すために使われる情報および上りリンク・キャリアを示すために使われる情報を含む、請求項２４ないし３５のうちいずれか一項に記載の端末またはネットワーク装置。
【請求項３７】
前記第二の上りリンク・キャリアが属するセルが前記SULキャリアを含む前記セルである場合、前記第二の上りリンク・キャリアは非SULキャリアである、請求項２４ないし３６のうちいずれか一項に記載の端末またはネットワーク装置。
【請求項３８】
前記第一の上りリンク・キャリアが属するセルが前記SULキャリアを含む前記セルである場合、前記第一の上りリンク・キャリアは、非物理上りリンク制御チャネル（非PUCCH）キャリアである、請求項２４ないし３７のうちいずれか一項に記載の端末またはネットワーク装置。
【請求項３９】
前記第一の上りリンク・キャリア情報および前記第二の上りリンク・キャリア情報の少なくとも一つは、新規キャリア・インジケーター・フィールド（NCIF）識別子であり、前記NCIF識別子は、前記第一の上りリンク・キャリアおよび／または前記第二の上りリンク・キャリアを示す、請求項２４ないし２９のうちいずれか一項に記載の端末またはネットワーク装置。
【請求項４０】
前記NCIF識別子が、セル識別子および前記上りリンク・キャリア識別子を含む、請求項３９に記載の端末またはネットワーク装置。
【請求項４１】
前記構成情報は、ユーザー装置UEグループ・レベルDCIの情報ブロックにおける上りリンク・キャリアの位置を示し、前記上りリンク・キャリアは、物理上りリンク共有チャネル／物理上りリンク制御チャネル（PUSCH/PUCCH）を送信するために使用されず、前記UEグループ・レベルDCIの前記情報ブロックは、SRS電力制御情報、A-SRSトリガー指示情報、および前記PUSCH/PUCCHを送信するために使用されない前記上りリンク・キャリアの上りリンク・キャリア識別子情報のうちの少なくとも一つを含む、請求項２４ないし４０のうちいずれか一項に記載の端末またはネットワーク装置。
【請求項４２】
前記構成情報は、前記PUSCH/PUCCHを送信するために使用されない前記上りリンク・キャリアが属するキャリア・セット・インデックスと、前記キャリア・セット内のキャリア・インデックスとをさらに含む、請求項２４ないし４０のうちいずれか一項に記載の端末またはネットワーク装置。
【請求項４３】
請求項２４ないし４２のうちいずれか一項に記載の端末およびネットワーク装置を有する通信装置。
【発明の詳細な説明】
【技術分野】
【０００１】
本願は、2017年11月17日に中国国家知産権庁に出願された、「マルチキャリア通信のためのキャリア・スイッチング」と題する中国特許出願第201711148290.4号に対する優先権を主張するものであり、同出願はここにその全体において参照により組み込まれる。
【０００２】
技術分野
本願は、通信技術の分野に関し、特に、無線通信システムにおけるマルチキャリア通信技術に関する。
【背景技術】
【０００３】
探測参照信号（sounding  reference  signal、SRS）がロングタームエボリューション（Long  Term  Evolution、LTE）システムに導入されている。たとえば、SRSは、上りリンク・チャネル品質を決定するために使用されてもよい。マルチキャリア通信において、たとえばキャリアアグリゲーション（carrier  aggregation、CA）シナリオにおいて、ネットワーク装置（たとえば基地局）は、N個の成分キャリア（component  carrier、CC）を端末（たとえば、ユーザー装置UE）のために構成し、UEは、不十分な上りリンク能力のために、M個（M＜N）の上りリンク・キャリアのみの同時送信をサポートすることがある。よって、UEのN−M個の時分割二重（time  division  duplexing、TDD）キャリアの下りリンク・チャネル状態を得るために、LTE  Rel-14ではN−M個のTDDキャリア上でSRSが送信される。換言すれば、SRSキャリア・スイッチングがサポートされる。UEは、SRSを送信するために、M個の上りリンク・キャリアのうちの一つ（これはスイッチング元上りリンク・キャリア（switching-from  UL  CC）と称されることがある）からN−M個のキャリアのうちのTDDキャリア（これはスイッチング先上りリンク・キャリア（switching-to  UL  CC）と称されることがある）に切り換えることがある。
【０００４】
LTEシステムの上りリンク資源を最大限に利用するために、上りリンク資源共有が議論され、共有される上りリンク資源は、補足上りリンク（supplementary  uplink、SUL）資源と考えられてもよい。
【発明の概要】
【発明が解決しようとする課題】
【０００５】
本願の実施形態は、SULキャリアを含むセルについて、SRSキャリア・スイッチングのためのスイッチング元の上りリンク・キャリアおよびSRSキャリア・スイッチングのためのスイッチング先の上りリンク・キャリアを指定し、それによりSRS伝送の信頼性を改善する無線通信方法、無線通信装置、および無線通信システムを提供する。
【課題を解決するための手段】
【０００６】
第一の側面によれば、本願の実施形態は、無線通信方法および無線通信装置を提供する。本通信装置は、たとえば、集積回路、端末、無線装置、または回路モジュールであってもよい。本通信装置は、第一の上りリンク・キャリア情報および第二の上りリンク・キャリア情報を含む構成情報を受信し、該構成情報に基づいて、SRSスイッチング元の上りリンク・キャリアおよびSRSスイッチング先の上りリンク・キャリアを決定する。第一の上りリンク・キャリア情報は、第一の上りリンク・キャリアが、SRSキャリア・スイッチングのためのスイッチング元上りリンク・キャリアであることを示す。第二の上りリンク・キャリア情報は、第二の上りリンク・キャリアが、SRSキャリア・スイッチングのためのスイッチング先上りリンク・キャリアであることを示す。
【０００７】
SULキャリアを含むセル（時にSULセルと呼ばれる）内の上りリンク・キャリアが、SRSキャリア・スイッチングのためのスイッチング元上りリンク・キャリアとして使用される。通信装置は、SULの資源（たとえばRF機能）を使用するか非SUL（時に主要上りリンク（primary  uplink、PUL）とも称される）の資源（たとえばRF機能）を使用するかを決定しうる。SRSキャリア・スイッチングのためのスイッチング先上りリンク・キャリア（switching-to  UL  CC）としてSULセルが使用される場合、通信装置は、SRSを伝送するためにSULキャリアに切り換えるか、非SULキャリアに切り換えるかを決定し、それによりSRS伝送の信頼性を保証しうる。
【０００８】
任意的に、通信装置は、非周期的なA-SRSトリガー指示情報および上りリンク・キャリア識別子情報を搬送するDCIを受信するように構成され、A-SRSトリガー指示情報は、A-SRSがトリガーされる特定の上りリンク・キャリアを示すために使用される。
【０００９】
任意的に、前記第二の上りリンク・キャリア情報、A-SRSトリガー指示情報、および上りリンク・キャリア識別子情報に基づいて、A-SRSスイッチング先上りリンク・キャリアが決定される。ある特殊なSRSシナリオでは、通信装置はまた、SRSスイッチング元上りリンク・キャリアおよびSRSスイッチング先上りリンク・キャリアをも決定しうる。よって、通信装置はより多くのシナリオに適用されることができる。
【００１０】
通信装置は、上記の方法設計を実行するように構成された対応するモジュールまたは手段を含んでいてもよく、該モジュールまたは手段は、ソフトウェアおよび／またはハードウェアでありうる。
【００１１】
ある設計では、第一の側面による通信装置は、受信モジュールおよび決定モジュールを含む。受信モジュールは、構成情報を受信するように構成される。構成情報は、第一の上りリンク・キャリア情報および第二の上りリンク・キャリア情報を含む。第一の上りリンク・キャリア情報は、第一の上りリンク・キャリアがSRSキャリア・スイッチングのためのスイッチング元上りリンクであることを示すために使用され、第二の上りリンク・キャリア情報は、第二の上りリンク・キャリアがSRSキャリア・スイッチングのためのスイッチング先上りリンク・キャリアであることを示すために使用される。第一の上りリンク・キャリアおよび第二の上りリンク・キャリアの少なくとも一つは、補足上りリンクSULキャリアを含むセルに属する。決定モジュールは、構成情報内の第一の上りリンク・キャリア情報および第二の上りリンク・キャリア情報に基づいて、SRSスイッチング元上りリンク・キャリアおよびSRSスイッチング先上りリンク・キャリアを決定するように構成される。
【００１２】
任意的に、受信モジュールは、下りリンク制御情報DCIを受信するようにさらに構成される。DCIは、非周期的な探測参照信号A-SRSトリガー指示情報および上りリンク・キャリア識別子を搬送する。上りリンク・キャリア識別子は、第二の上りリンク・キャリアを示すために使用される。
【００１３】
任意的に、決定モジュールが構成情報に基づいてSRSスイッチング先上りリンク・キャリアを決定することは、決定モジュールが、第二の上りリンク・キャリア情報、A-SRSトリガー指示情報、および上りリンク・キャリア識別子情報に基づいてSRSスイッチング先上りリンク・キャリアを決定することを含む。
【００１４】
第二の側面によれば、本願の実施形態は、無線通信方法および無線通信装置を提供する。通信装置は、たとえば、集積回路、ネットワーク装置（たとえば基地局）、無線装置、または回路モジュールであってもよい。通信装置は、第一の上りリンク・キャリア情報および第二の上りリンク・キャリア情報を含むSRS構成情報を送信する。構成情報は、第一の上りリンク・キャリア情報および第二の上りリンク・キャリア情報を含む。第一の上りリンク・キャリア情報は、第一の上りリンク・キャリアがSRSキャリア・スイッチングのためのスイッチング元上りリンク・キャリアであることを示すために使用され、第二の上りリンク・キャリア情報は、第二の上りリンク・キャリアがSRSキャリア・スイッチングのためのスイッチング先上りリンク・キャリアであることを示すために使用される。第一の上りリンク・キャリアおよび第二の上りリンク・キャリアの少なくとも一つは、補足上りリンク（supplementary  uplink、SUL）・キャリアを含むセルに属する。
【００１５】
任意的に、通信装置はさらに、下りリンク制御情報（downlink  control  information、DCI）を送信するように構成される。DCIは、非周期的な探測参照信号A-SRSトリガー指示情報および上りリンク・キャリア識別子を搬送する。上りリンク・キャリア識別子は、第二の上りリンク・キャリアを示すために使用される。
【００１６】
通信装置は、上記の方法設計を実行するように構成された対応するモジュールまたは手段を含んでいてもよく、該モジュールまたは手段は、ソフトウェアおよび／またはハードウェアでありうる。
【００１７】
ある設計では、第二の側面による通信装置は、送信モジュールを含む。送信モジュールは、SRSの構成情報を送信するように構成される。構成情報は、第一の上りリンク・キャリア情報および第二の上りリンク・キャリア情報を含む。
【００１８】
第一の上りリンク・キャリア情報は、第一の上りリンク・キャリアがSRSキャリア・スイッチングのためのスイッチング元上りリンク・キャリアであることを示すために使用され、第二の上りリンク・キャリア情報は、第二の上りリンク・キャリアがSRSキャリア・スイッチングのためのスイッチング先上りリンク・キャリアであることを示すために使用される。第一の上りリンク・キャリアおよび第二の上りリンク・キャリアの前記少なくとも一つは、補足上りリンク（SUL）・キャリアを含むセルに属する。
【００１９】
任意的に、送信モジュールは、下りリンク制御情報DCIを送信するようにさらに構成される。DCIは、非周期的な探測参照信号A-SRSトリガー指示情報および上りリンク・キャリア識別子を搬送する。上りリンク・キャリア識別子は、前記第二の上りリンク・キャリアを示すために使用される。
【００２０】
任意的に、通信装置は、端末によって送信された上りリンク情報を受信するように構成された受信モジュールをさらに含んでいてもよい。
【００２１】
任意的に、上記の諸側面において、第一の上りリンク・キャリア情報および第二の上りリンク・キャリア情報の少なくとも一つは、セル識別子および上りリンク・キャリア識別子を含む。SULセルは、複数の上りリンク・キャリア（たとえば、2つの上りリンク・キャリア）を含み、セル識別子および上りリンク・キャリア識別子の両方が、第一の上りリンク・キャリア情報および／または第二の上りリンク・キャリア情報に追加される。したがって、セル内のどの上りリンク・キャリアが、SRSスイッチング元上りリンク・キャリアおよび／またはSRSスイッチング先上りリンク・キャリアであるかが決定できる。
【００２２】
任意的に、上記の諸側面において、第二の上りリンク・キャリアが属するセルがSULを含むセルである場合、第二の上りリンク・キャリアは、非SUL（時に主要上りリンクprimary  uplink、副次上りリンクなどとも呼ばれる）キャリアである。TDDキャリアとSULキャリアを含むSULセルについては、SULキャリアとTDDキャリアの下りリンク・キャリアとは異なる周波数であり、チャネル相反性を持たない。物理上りリンク共有チャネル（physical  uplink  shared  channel、PUSCH）／物理上りリンク制御チャネル（physical  uplink  control  channel、PUCCH）がないSULセルについては、SULキャリア上に構成されたSRSを使用して、SULセルの下りリンク・チャネル状態を取得することはできない。したがって、SULセルの2つのUL  CCのどちらもPUSCH/PUCCHをもって構成されていない場合、構成されたSRSを使用してSULセルの下りリンク・チャネル状態を取得するために、スイッチング先UL  CCは非SULキャリアであることが（たとえば、プロトコル合意を使用することにより、事前構成を通じて、または別の仕方で）あらかじめ定義されてもよい。
【００２３】
任意的に、前述の諸側面において、第一の上りリンク・キャリアが属するサービスするセル〔サービス提供セル〕がSULを含むセルである場合、PUCCHへの影響を避けるために、第一の上りリンク・キャリアは、非PUCCHキャリア（時にPUCCHなしキャリアとも称される）である。
【００２４】
任意的に、上記の諸側面において、第一の上りリンク・キャリア情報および第二の上りリンク・キャリア情報の前記少なくとも一つは、新規キャリア・インジケーター・フィールドNCIF識別子であり、NCIF識別子は、第一の上りリンク・キャリアおよび／または第二の上りリンク・キャリアを示すために使用される。NCIF識別子を構成するには、さまざまな仕方がある。SULセルのシナリオでは、SRSスイッチング元上りリンク・キャリアおよびSRSスイッチング先上りリンク・キャリアが柔軟に指示されうる。
【００２５】
任意的に、上記の諸側面において、NCIF識別子は、セル識別子および上りリンク・キャリア識別子を含む。NCIF識別子は、セル識別子だけでなく、上りリンク・キャリア識別子も含む。よって、SRSスイッチング元上りリンク・キャリアおよび／またはSRSスイッチング先上りリンク・キャリアは、NCIF識別子に基づいてセル内で特定的に決定される。
【００２６】
任意的に、上記の諸側面において、構成情報が、UEグループ・レベルDCIの情報ブロック内の上りリンク・キャリアの位置を示すためにさらに使用され、上りリンク・キャリアはPUSCH/PUCCHを送信するために使用されず（たとえば、非PUSCH/PUCCHキャリアまたはPUSCH/PUCCHなしキャリア）、UEグループ・レベルDCIの前記情報ブロックは、SRS電力制御情報、A-SRSトリガー指示情報、およびPUSCH/PUCCHを送信するために使用されない前記上りリンク・キャリアの上りリンク・キャリア識別子情報のうちの少なくとも一つを含む。構成情報は、UEグループ・レベルDCIの前記情報ブロック内の前記上りリンク・キャリアの位置を示すだけでよい。ここで、前記上りリンク・キャリアは、PUSCH/PUCCHを送信するために使用されない。この場合、UEは、前記情報ブロック内の情報に基づいて、SRSキャリア・スイッチングのためのスイッチング元上りリンク・キャリアおよび／またはSRSキャリア・スイッチングのためのスイッチング先上りリンク・キャリアを決定し、それにより、構成情報のためのオーバーヘッドを減少させることができる。
【００２７】
任意的に、上記の諸側面において、構成情報は、PUSCH/PUCCHを送信するために使用されない前記上りリンク・キャリアが属するセットのインデックスと、セット内のキャリアのインデックスとをさらに含む。PUSCH/PUCCHを送信するために使用されない大量の上りリンク・キャリアが存在する場合、PUSCH/PUCCHを送信するために使用されない上りリンク・キャリアがグループ化されてもよく、セットのインデックスおよびセット内のキャリアのインデックスが構成情報内に構成され、よって、UEは、セット・インデックスおよびセット内のキャリア・インデックスに基づいて、SRSスイッチング元上りリンク・キャリアおよび／またはSRSスイッチング先上りリンク・キャリアを迅速に決定することができる。
【００２８】
第三の側面によれば、本願の実施形態は、通信装置を提供する。通信装置は、プロセッサと、メモリに記憶され、プロセッサ上で実行されうる命令とを含む。プロセッサが命令を実行すると、通信装置は、第一の側面または第二の側面の実施形態のうちのいずれか一つで本方法を実施する。任意的に、通信装置はトランシーバ・ユニットを含んでいてもよい。
【００２９】
第四の側面によれば、本願は、命令を含むコンピュータ記憶媒体を提供する。命令がコンピュータ上で実行されると、コンピュータは、第一の側面または第二の側面の実施形態のうちのいずれか一つで本方法を実行する。
【００３０】
第五の側面によれば、本願は、コンピュータ・プログラム製品を提供する。本製品がコンピュータ上で実行されると、コンピュータは、上記の諸側面の方法を実行する。
【図面の簡単な説明】
【００３１】
【図１】本願のある実施形態による可能な無線アクセス・ネットワークの概略図である;
【００３２】
【図２】通信システムのアーキテクチャ例の概略図である。
【００３３】
【図３】SRSキャリア・スイッチング解決策の概略図である。
【００３４】
【図４】本願のある実施形態による無線通信方法のフローチャートである。
【００３５】
【図５】SRSキャリア・スイッチング解決策の概略図である。
【図６】SRSキャリア・スイッチング解決策の概略図である。
【図７】SRSキャリア・スイッチング解決策の概略図である。
【図８】SRSキャリア・スイッチング解決策の概略図である。
【図９】SRSキャリア・スイッチング解決策の概略図である。
【００３６】
【図１０】複数のNCIF識別子を含むSULセルの概略図である。
【００３７】
【図１１】本願の別の実施形態による無線通信方法のフローチャートである。
【００３８】
【図１２】本願によるネットワーク装置の概略構造図である。
【００３９】
【図１３】本願による端末の概略構造図である。
【発明を実施するための形態】
【００４０】
下記は、本願の実施形態における添付図面を参照して、本願の実施形態を記述する。
【００４１】
本願に記載の技術は、符号分割多元接続（CDMA）ネットワーク、時分割多元接続（TDMA）ネットワーク、周波数分割多元接続（FDMA）ネットワーク、直交周波数分割多元接続（OFDMA）ネットワーク、単一キャリア周波数分割多元接続（SC-FDMA）ネットワーク、および他のネットワークのようなさまざまな無線通信ネットワークで使用されうる。ユニバーサル地上無線アクセス（UTRA）およびCDMA2000のような無線技術は、CDMAネットワークにおいて実装できる。UTRAは、広帯域符号分割多元接続（WCDMA）、CDMA、および別の変形を含む。グローバルシステムフォーモバイルコミュニケーション（GSM）のような無線技術は、TDMAネットワークにおいて実装できる。進化型UTRA（E-UTRA）、ウルトラモバイルブロードバンド（UMB）、IEEE802.11（WiFi）、IEEE802.16（WiMAX）、IEEE802.20などの無線技術は、OFDMAネットワークにおいて実装できる。E-UTRAは、LTEおよびLTE-Aなどの複数のバージョンを含みうる。本願はさらに、5Gネットワーク、その後の進化したネットワーク、またはさまざまなネットワークのコンバージェンスに適用されうる。
【００４２】
図1は、本願のある実施形態による可能な無線アクセス・ネットワーク（radio  access  network、RAN）の概略図である。RANは、一つまたは複数のネットワーク装置20を含む。無線アクセス・ネットワークは、コア・ネットワーク（core  network、CN）に接続されてもよい。ネットワーク装置20は、無線送受信機能をもつ任意の装置でありうる。ネットワーク装置20は、基地局（たとえば、基地局BS、NodeB、進化型NodeB、eNodeBまたはeNB、第五世代5G通信システムにおけるgNodeBまたはgNB、将来の通信システムにおける基地局、またはアクセス・ノード、無線中継ノード、またはWi-Fiシステムにおける無線バックホール・ノード）などを含むが、これらに限定されない。基地局は、マクロ基地局、マイクロ基地局、フェムト基地局、小セル、中継局などであってもよい。複数の基地局は、上述の同じ技術が使用されるネットワークをサポートすることができ、または上述の異なる技術が使用されるネットワークをサポートしてもよい。基地局は、一つまたは複数の共サイトまたは非共サイトの送信受信ポイント（transmission  reception  point、TRP）を含んでいてもよい。あるいはまた、ネットワーク装置20は、クラウド無線アクセス・ネットワーク（cloud  radio  access  network、CRAN）・シナリオにおける無線コントローラ、中央集中ユニット（centralized  unit、CU）、または分散ユニット（distributed  unit、DU）であってもよい。あるいはまた、ネットワーク装置20は、サーバー、ウェアラブル装置、ビークル搭載型装置などであってもよい。ネットワーク装置20が基地局であることが、以下の説明のための例として用いられる。複数のネットワーク装置20は、同じタイプの基地局または異なるタイプの基地局でありうる。基地局は、端末10と通信してもよいし、あるいは中継局を使用して端末10と通信してもよい。端末10は、異なる技術を用いて複数の基地局と通信してもよい。たとえば、端末は、LTEネットワークをサポートする基地局と通信してもよく、5Gネットワークをサポートする基地局と通信してもよく、あるいはLTEネットワーク内の基地局と5Gネットワーク内の基地局との間の二重接続をサポートしてもよい。
【００４３】
端末10は、無線送受信機能を有する装置である。端末10は、陸上に配備されてもよく、屋内または屋外装置、ハンドヘルド装置、ウェアラブル装置、またはビークル搭載装置を含んでいてもよく；水上（たとえば、船舶）に配備されてもよく、または空中（たとえば、航空機、気球、または衛星）に配備されてもよい。端末装置は、携帯電話（mobile  phone）、タブレットコンピュータ（Pad）、無線送受信機能を有するコンピュータ、仮想現実（virtual  reality、VR）端末装置、拡張現実（augmented  reality、AR）端末装置、工業用制御（industrial  control）に関連する無線端末、自己運転（self  driving）に関連する無線端末、遠隔医療（remote  medical）に関連する無線端末、スマートグリッド（smart  grid）に関連する無線端末、交通安全（transportation  safety）に関連する無線端末、スマートシティ（smart  city）に関連する無線端末、スマートホーム（smart  home）に関連する無線端末などでありうる。適用シナリオは、本願の実施形態において限定されない。時に、端末は、端末装置、ユーザー装置（user  equipment、UE）、アクセス端末装置、UEユニット、UEステーション、移動サイト、移動局、遠隔局、遠隔端末装置、移動装置、UE端末装置、無線通信装置、UEエージェント、UE装置などとも呼ばれることがある。また、端末は固定されていても可動であってもよい。
【００４４】
図2は、通信システムのアーキテクチャ例の概略図である。図2に示されるように、無線アクセス・ネットワークRAN内のネットワーク装置は、CU/DU分割アーキテクチャを有する基地局（たとえばgNB）である。RANは、コア・ネットワーク（たとえば、LTEコア・ネットワークまたは5Gコア・ネットワーク）に接続されてもよい。CUとDUは、論理的な機能の観点からの基地局の分割として理解されうる。CUとDUは、物理的に分離されるか、または物理的に一緒に配備されることができる。RANの機能は、最終的にはCUにある。複数のDUが一つのCUを共有することができる。一つのDUが複数のCU（図示せず）に接続されてもよい。CUとDUは、インターフェース、たとえば、F1インターフェースを使用して接続されてもよい。CUおよびDUは、無線ネットワークのプロトコル層に基づく分割を通じて取得されてもよい。たとえば、CUにはパケット・データ収束プロトコル（packet  data  convergence  protocol、PDCP）層と無線資源制御（radio  resource  control、RRC）層の機能が設定され、DUには無線リンク制御（radio  link  control、無線リンク制御、RLC）層、メディアアクセス制御（media  access  control、MAC）層、物理層などの機能が設定される。CUおよびDUの処理機能がこれらのプロトコル層に基づいて分割されることは単なる例であり、処理機能は代替的に別の仕方で分割されてもよいことが理解されうる。たとえば、より多くのプロトコル層の機能がCUまたはDUに分配されてもよい。たとえば、プロトコル層のいくつかの処理機能は、CUまたはDUにさらに分散されてもよい。ある設計では、RLC層のいくつかの機能とRLC層より上のプロトコル層の機能がCUに設定され、RLC層の残りの機能とRLC層より下のプロトコル層の機能がDUに設定される。別の設計では、CUまたはDUの機能は、代替的に、サービス・タイプまたは別のシステム要件に基づいて分割されてもよい。たとえば、遅延に基づいて分割が実行されて、処理時間が遅延要件を満たす必要がある機能がDUに設定され、処理時間が遅延要件を満たす必要がない機能がCUに設定される。図2に示されるネットワーク・アーキテクチャは、5G通信システムに適用されてもよく、ネットワーク・アーキテクチャは、代替的に、LTEシステムと一つまたは複数のコンポーネントまたは資源を共有してもよい。別の設計では、CUは、代替的に、コア・ネットワークの一つまたは複数の機能を有してもよい。一つまたは複数のCUは、中央集中的な仕方で、または分離された仕方で設定されうる。たとえば、CUは中央集中管理のためにネットワーク側に設定されてもよく、DUは複数の無線周波数機能を有してもよく、あるいは無線周波数機能はリモートに設定されてもよい。
【００４５】
CUの機能は、一つのエンティティによって実装されてもよい。あるいはまた、制御プレーン（control  plane、CP）およびユーザープレーン（user  plane、UP）がさらに分離されてもよい。具体的には、CUの制御プレーン（CU-CP）およびCUのユーザープレーン（CU-UP）は、異なる機能エンティティによって実装されてもよく、CU-CPおよびCU-UPは、DUに結合されて、合同して基地局の機能を実装してもよい。
【００４６】
本願においては、名詞「ネットワーク」および「システム」は、通例、交換可能に用いられ、「装置」および「デバイス」も、通例、交換可能に用いられるが、これらの名詞の意味は当業者には理解できる。「通信装置」は、ネットワーク装置（たとえば、基地局、DU、またはCU）または図1および図2の端末、あるいはネットワーク装置または端末のコンポーネント（たとえば、集積回路またはチップ）または別の通信モジュールであってもよい。
【００４７】
図3は、SRSキャリア・スイッチング解決策の概略図である。図3に示されるように、UE  RFには、2つの直交周波数分割多重化（Orthogonal  Frequency  Division  Multiplexing、OFDM）シンボルが必要であり、CC2はスイッチング先UL  CCであり、CC1はスイッチング元UL  CCである。UEがSRSを送信するためにCC1からCC2に切り換えるとき、UEは、サブフレームN内のシンボル11〜13およびサブフレームN＋1内のシンボル0、1で物理上りリンク共有チャネル（physical  uplink  shared  channel、PUSCH）を送信することができない。これらのシンボルはCC1に対応する。
【００４８】
記述の容易のため、本願ではLTEシステムの用語が例として使用される。他のシステムにおいて他の用語が使用されうることが理解されうる。当業者の理解を容易にするために、下記は、本願のいくつかの用語を記述する。
【００４９】
セルは、カバレッジ領域にサービスする基地局および／または基地局サブシステムのカバレッジ領域をいう。たとえば、eNBのカバレッジ領域は、マクロセル、マイクロセル、ピコセル、または別のタイプのセルであってもよい。マクロセルは、比較的広い地理的領域をカバーすることができ、マイクロセルは、比較的狭い地理的領域などをカバーすることができる。基地局は、一つまたは複数のセルをサポートすることができる。端末については、端末にサービスするセルは、一つの下りリンク・キャリアおよび一つの上りリンク・キャリア（たとえば、LTEネットワーク）を含むことができる。SUL資源が導入された後は、端末にサービスするセルは、代替的に、一つの下りリンク・キャリアおよび複数の上りリンク・キャリアを含んでいてもよい。たとえば、5G通信において、セルは、一つの下りリンク・キャリアおよび2つの上りリンク・キャリアを含んでいてもよい。
【００５０】
SUL資源は、上りリンク資源のみが現在の通信規格で伝送に使用されることを示す。たとえば、キャリアについて、上りリンク資源のみが伝送に使用される。たとえば、NR通信システムとも呼ばれる第五世代（5G）移動通信システムでは、キャリアAはNR上りリンク伝送のみに使用され、下りリンク伝送には使用されない。あるいはまた、キャリアAは、LTE通信システムにおける上りリンク伝送に使用され、NRにおける下りリンク伝送には使用されない。この場合、キャリアAはSUL資源である。
【００５１】
SULセルは、時にSULを含むセルと称され、SUL資源を含むセルを指す。
【００５２】
キャリアは、特定の周波数の電波であり、言語、音楽、画像、または他の信号を送信するために周波数、振幅変調、または位相などの側面において変調されることのできる電磁波である。
【００５３】
上りリンク資源は、キャリア（非CAシナリオにおけるキャリアおよびCAシナリオにおけるキャリアを含む）として理解されうる。換言すれば、上りリンク資源は、上りリンク伝送のために使用される、キャリアの一部であってもよい。あるいはまた、上りリンク資源は、上りリンク伝送のために使用される、セル（CAシナリオにおけるセルおよび非CAシナリオにおけるセルを含む）の一部として理解されてもよい。換言すれば、上りリンク資源は、上りリンク伝送のために使用される、セルの一部であってもよい。CAシナリオにおけるCCは、主要CCまたは副次CCであってもよく、CAシナリオにおけるセルは、主要セル（primary  cell、PCell）または副次セル（secondary  cell、SCell）であってもよい。上りリンク資源は、代替的に、上りリンク・キャリアと呼ばれてもよい。対応して、下りリンク伝送のために使用される、キャリアまたはセルの一部は、下りリンク資源または下りリンク・キャリアとして理解されてもよい。たとえば、FDDシステムでは、キャリア上の上りリンク伝送のために使用される周波数資源は、上りリンク資源または上りリンク・キャリアとして理解されてもよく、キャリア上の下りリンク伝送のために使用される周波数資源は、下りリンク資源または下りリンク・キャリアとして理解されてもよい。別の例として、TDDシステムでは、キャリア上の上りリンク伝送のために使用される時間領域資源は、上りリンク資源または上りリンク・キャリアとして理解されてもよく、キャリア上の下りリンク伝送のために使用される時間領域資源は、下りリンク資源または下りリンク・キャリアとして理解されてもよい。
【００５４】
図4は、本願のある実施形態による無線通信方法のフローチャートである。この方法は、図1および図2に示されるネットワークに適用されうる。
【００５５】
部分101。ネットワーク装置が、構成情報をUEに送信する。
【００５６】
構成情報は、少なくとも2つの上りリンク・キャリアに関する情報を含む。たとえば、構成情報は、第一の上りリンク・キャリア情報および第二の上りリンク・キャリア情報を含む。第一の上りリンク・キャリア情報は、第一の上りリンク・キャリアがSRSキャリア・スイッチングのためのスイッチング元上りリンク・キャリアであることを示すために使用され、第二の上りリンク・キャリア情報は、第二の上りリンク・キャリアがSRSキャリア・スイッチングのためのスイッチング先上りリンク・キャリアであることを示すために使用される。第一の上りリンク・キャリアおよび第二の上りリンク・キャリアの少なくとも一つは、SUL資源を含むセルに属する。
【００５７】
任意的に、構成情報は、さらに、第二の上りリンク・キャリア上のUEのSRSの構成情報を含み、UE  SRS送信のための時間領域情報、周波数領域情報、および符号領域情報を構成するために使用される。
【００５８】
構成情報は、専用の命令情報であってもよく、または無線資源制御（Radio  Resource  Control、RRC）情報（たとえば、RRC接続セットアップ信号伝達、RRC接続再確立信号伝達、またはRRC接続再構成信号伝達）または下りリンク制御情報（Downlink  Control  Information、DCI）において搬送されてもよい。
【００５９】
SRSスイッチング元上りリンク・キャリアが属するセルは、スイッチング元セルであり、SRSスイッチング先上りリンク・キャリアが属するセルはスイッチング先セルである。図5に示されるように、セル1はSULセルであり、セル1は、1.8GのSULキャリアと、3.5Gの上りリンク（UL）・キャリアとを含む。セル1がスイッチング元セルであり、3.5G  ULキャリアがSRSスイッチング元上りリンク・キャリアである場合、第一の上りリンク・キャリア情報は、セル1および3.5G  ULキャリアを示すために使用される情報を含んでいてもよい。換言すれば、第一の上りリンク・キャリア情報は、スイッチング元セルを示すために使用される情報と、スイッチング元キャリアを示すために使用される情報とを含む。同様に、図6に示されるように、セル1がスイッチング先であり、3.5G  ULキャリアがSRSスイッチング先上りリンク・キャリアである場合、第二の上りリンク・キャリア情報は、セル1および3.5G  ULキャリアを示すために使用される情報を含んでいてもよい。換言すれば、第二の上りリンク・キャリア情報は、スイッチング先セルを示すために使用される情報と、スイッチング先キャリアを示すために使用される情報とを含む。
【００６０】
任意的に、第一の上りリンク・キャリア情報および第二の上りリンク・キャリア情報の少なくとも一つは、セル識別子および上りリンク・キャリア識別子を含む。セル識別子は、セルを識別するために使用され、たとえば、セル・インデックス（cell  index）、副次セル・インデックス（SCellIndex）、またはセルを識別するために使用されうる他の情報である。上りリンク・キャリア識別子は、キャリアを識別するために使用される。たとえば、成分キャリア・インデックス（CC  index）、上りリンク・インデックス（UL  index）、副次セルSULインデックス（SCellSULIndex）、またはキャリアを識別するために使用できる他の情報である。ここで、SCellSULIndexは上りリンク・キャリアの識別子である。セル識別子および上りリンク・キャリア識別子の表現方法および名称は、本願において限定されない。たとえば、図5に示される例において、スイッチング元セルを示すために使用される情報は、セル識別子、たとえば、セル・インデックスまたは副次セル・インデックスでありうる。一つのULキャリアおよび一つのSULキャリアという2つの上りリンク・キャリアが、スイッチング元セル1にある。スイッチング元キャリアを識別する情報は、スイッチング元キャリアが1.8G  SULキャリアであるか3.5G  ULキャリアであるかを示すキャリア識別子であってもよい。別の例では、キャリア識別子は、スイッチング元キャリアがULキャリアであるかSULキャリアであるかを示してもよい。スイッチング元キャリアがULキャリアであることが示される場合、スイッチング元キャリアが3.5G  ULキャリアであることがわかる。スイッチング元キャリアがSULキャリアであるなら、スイッチング元キャリアが1.8G  SULキャリアであることがわかる。これは、図6の例と同様であり、詳細は、再度説明されない。
【００６１】
以下の説明では、これらの異なる表現は、時に交換可能に使用され、セル識別子または上りリンク・キャリア識別子を示すために使用される。
【００６２】
セル識別子および上りリンク・キャリア識別子は、SRSスイッチング元上りリンク・キャリアおよび／またはSRSスイッチング先上りリンク・キャリアを示すために使用されうる。
【００６３】
図5に示される例では、セル1はスイッチング元セルであり、セル1は、2つの上りリンク・キャリア、すなわち1.8G  SULキャリアおよび3.5G  ULキャリアを含む。3.5G  ULキャリアが、SRSスイッチング元上りリンク・キャリアである。第一の上りリンク・キャリア情報は、セル1の識別子および3.5G  ULキャリアの識別子を含む。たとえば、2つの情報要素：SCellIndexおよびSCellSULIndexが、第一の上りリンク・キャリア情報において使用されて、SRSキャリア・スイッチングのためのSRSスイッチング元上りリンク・キャリアを示してもよい。セル2はスイッチング先セルであり、セル2は3.5G  ULキャリアを含む。第二の上りリンク・キャリア情報は、セル2の識別子を含んでいてもよい。たとえば、SCellIndexは、第二の上りリンク・キャリア情報において使用されて、SRSキャリア・スイッチングのためのSRSスイッチング先上りリンク・キャリアを示してもよい。
【００６４】
図6に示される例では、セル1はスイッチング先セルであり、セル1は2つの上りリンク・キャリア、すなわち1.8G  SULキャリアと3.5G  ULキャリアを含む。3.5G  ULキャリアが、SRSキャリア・スイッチングのためのSRSスイッチング先上りリンク・キャリアである。第二の上りリンク・キャリア情報は、セル1の識別子と、3.5G  ULキャリアの識別子とを含む。たとえば、2つの情報要素、SCellIndexおよびSCellSULIndexが、SRSスイッチング先上りリンク・キャリアを示すために第二の上りリンク・キャリア情報に含まれてもよい。セル2はスイッチング元セルであり、セル2は3.5G  ULキャリアを含む。したがって、第一の上りリンク・キャリア情報は、セル2の識別子を含んでいてもよい。たとえば、SCellIndexが、第一の上りリンク・キャリア情報において、SRSスイッチング元上りリンク・キャリアを示すために使用されてもよい。
【００６５】
図7に示される例では、セル2がスイッチング元セルであり、セル2は、2つの上りリンク・キャリア、すなわち1.8G  SULキャリアおよび3.5G  ULキャリアを含む。3.5G  ULキャリアが、SRSキャリア・スイッチングのためのSRSスイッチング元上りリンク・キャリアである。したがって、第一の上りリンク・キャリア情報は、セル2の識別子および3.5G  ULキャリアの識別子を含む。たとえば、2つの情報要素、SCellIndexおよびSCellSULIndexが、SRSスイッチング元上りリンク・キャリアを示すために第一の上りリンク・キャリア情報に含まれてもよい。同様に、セル1は、スイッチング先キャリアであり、セル1は、1.8G  SULキャリアと3.5G  ULキャリアの2つの上りリンク・キャリアを含む。1.8G  SULキャリアが、SRSキャリア・スイッチングのためのSRSスイッチング先上りリンク・キャリアである。したがって、第二の上りリンク・キャリア情報は、セル1の識別子および1.8G  SULキャリアの識別子を含む。たとえば、2つの情報要素、SCellIndexおよびSCellSULIndexが第二の上りリンク・キャリア情報において使用されて、SRSスイッチング先上りリンク・キャリアを示すことができる。
【００６６】
たとえば、コード1に示されるように、SCellIndexによって示されるスイッチング元UL  CCがSULセルに属する場合、スイッチング元UL  CCからのスイッチングを示すために、SCellSULIndexフィールドが追加的に使用される必要がある。スイッチング先UL  CCがSULセルであり、SRSがSULキャリアおよび非SULキャリア上で伝送される必要がある場合、2つのスイッチング元UL  CCが構成される必要がある。
【００６７】
任意的に、第二の上りリンク・キャリアの第二の上りリンク・キャリア情報は、SCellIndexおよび資源構成を使用することによって、SRSスイッチング先上りリンク・キャリアを暗黙的に示しうる。たとえば、擬似コード1では、情報要素：SCellIndexとradioResourceConfigDedicatedSCellは、合同で、第二の上りリンク・キャリアが3.5G  ULキャリアであることを示し、radioResourceConfigDedicatedSCellは、SRS構成情報と3.5G  ULキャリアについてのいくらかの他のUEレベル構成情報を含む。情報要素SCellIndexおよびSULradioResourceConfigDedicatedSCellは、合同で、第二の上りリンク・キャリアが1.8G  SULキャリアであることを示し、SULradioResourceConfigDedicatedSCellは、SRS構成情報および1.8G  SULについてのいくらかの他のUEレベル構成情報を含む。
【００６８】
コード１：
【表１】
2021503834.tif 000003
【００６９】
任意的に、第二の上りリンク・キャリアが属するセルがSULを含むセルである場合、第二の上りリンク・キャリアは非SULキャリアである。
【００７０】
非SULキャリアは、5Gシステムにおける上りリンク・キャリア、たとえばNR専用ULキャリアである。
【００７１】
この実施形態では、SULを含むセル内の非SULキャリアが、プロトコルのあらかじめ定義された仕方で、第二の上りリンク・キャリアとして定義されうる。換言すれば、SULを含むセル内の非SULキャリアが、デフォルトで、SRSスイッチング先上りリンク・キャリアである。たとえば、SCellがSULセルである場合、SCellは、TDDキャリアおよびSULキャリアを含み、SULキャリアおよびTDDキャリアの下りリンク・キャリアは、異なる周波数にあり、チャネル相反性を有さない。PUSCH／物理上りリンク制御チャネル（physical  uplink  control  channel、PUCCH）伝送がないSULセルについては、SULキャリア上に構成されたSRSを使用して、SULセルの下りリンク・チャネル状態を取得することはできない。したがって、SULセルの2つのUL  CCのどちらもPUSCH/PUCCHをもって構成されていない場合、スイッチング先UL  CCが非SULキャリア、たとえば、図6のセル1における3.5G  ULキャリアであることが、プロトコルにおいてあらかじめ定義されてもよい。
【００７２】
任意的に、第一の上りリンク・キャリアが属するサービスするセルがSULを含むセルである場合、第一の上りリンク・キャリアは非PUCCHキャリアである。換言すれば、PUCCH伝送用の上りリンク・キャリアは、SULキャリアを含むセルにおいて構成されない。
【００７３】
LTE  Rel-14では、第一の上りリンク・キャリアは、TDDのサービス提供セル内にあり、PUSCH/PUCCH伝送のために構成されていない上りリンク・キャリアとして定義される。
【００７４】
この実施形態では、SULキャリアを含むセル内の非PUCCHキャリアが、第一の上りリンク・キャリアとして（たとえば、プロトコル仕様を使って、事前ネゴシエーションを通じて、または事前構成を通じて）あらかじめ定義される。換言すれば、SULキャリアを含むセル内の非PUCCHキャリアが、デフォルトで、SRSスイッチング元上りリンク・キャリアである。たとえば、スイッチング元UL  CCが属するセルがSULセルである場合、SULセルは2つの上りリンク・キャリアを含むため、SULセル内の一つの上りリンク・キャリア（たとえば、非PUCCHキャリアまたは最も最近の上りリンク伝送のためのキャリア）が、第一の上りリンク・キャリアとしてあらかじめ定義される。
【００７５】
さらに、スイッチング元UL  CCの資源（たとえば、UL  RF機能）が、スイッチング先UL  CC上のSRSに必要とされるため、SULセルが主要セルとして使用される場合、RRC信号伝達は、PUCCHキャリアをもって構成される。PUCCHへの影響を避けるために、（たとえば、プロトコル合意を使って、事前構成を通じて、または事前合意を通じて）スイッチング元UL  CCが非PUCCHキャリア、たとえば、図5に示されるセル1内の3.5G  ULキャリアであることが、あらかじめ定義されてもよい。SULセルが副次セルとして使用される場合、スイッチング元UL  CCは最も最近のPUSCH伝送のための上りリンク・キャリアであることが、プロトコルにおいて、あらかじめ定義されてもよい。
【００７６】
たとえば、コード2に示されるように、SULキャリアを含むセル内の非PUCCHキャリアが第一の上りリンク・キャリアであることがあらかじめ定義されているため、セル識別子（たとえば、sCellIndex-r10）が構成情報において構成される。
【００７７】
コード２：
【表２】
2021503834.tif 000004
【００７８】
任意的に、UEが一つのSULセルをもって構成されており、UEが1組の上りリンク無線周波数（uplink  Radio  Frequency、UL  RF）しか持たない場合、すなわち、UEがPUSCH伝送のために使用される上りリンク・キャリアをもって構成されている場合、スイッチング元UL  CCは、PUSCH伝送をもって構成された上りリンク・キャリアである。したがって、構成情報において、スイッチング元UL  CCが追加的に指定される必要はない。図8に示されるように、UEのセルは、3.5G  ULキャリアおよび1.8G  SULキャリアを含む。1.8G  SULキャリアがPUSCHを伝送するように構成されている場合、1.8G  SULキャリアはスイッチング元UL  CCである。
【００７９】
任意的に、第一の上りリンク・キャリア情報および第二の上りリンク・キャリア情報の前記少なくとも一つは、新規キャリア・インジケーター・フィールド（new  carrier  indicator  field、NCIF）識別子である。NCIF識別子は、第一の上りリンク・キャリアおよび／または第二の上りリンク・キャリアを示すために使用され、他の名称、たとえば、キャリア・インジケーター・フィールドCIFおよびニューラジオ・キャリア・インジケーター・フィールドNR  CIFを有していてもよいことが理解されうる。これは、本願において限定されない。
【００８０】
この実施形態では、SULセルは、複数のNCIF識別子をもって構成されてもよく、各NCIF識別子は、一つの2項組（SCellIndex,ULCCindex）に対応する。ここで、SCellIndexはセル識別子であり、ULCCindexは上りリンク・キャリア識別子である。スイッチング先UL  CCまたはスイッチング元UL  CCは、NCIF識別子を使って示されてもよく、NCIF識別子は、DCIのNCIFフィールドにおいて搬送されてもよく、NCIFフィールドは、キャリア・インジケーター・フィールド（Carrier  Indicator  Field、CIF）と多重化されてもよい。当業者は、第一の上りリンク・キャリアおよび／または第二の上りリンク・キャリアを示す別の識別子を設定してもよく、その識別子はNCIF識別子に限定されない。
【００８１】
図9に示されるように、NCIF0は、セル2における1.8G  SULキャリアを示し、NCIF1は、セル2における3.5G  ULキャリアを示し、NCIF2は、セル1における3.5GのULキャリアを示す。別のセルおよび別の上りリンク・キャリアが存在するときは、異なるセル内の異なる上りリンク・キャリアを識別するために、より多くのNCIF識別子が設定されてもよい。コード3に示されるように、NCIF識別子は、スイッチング元UL  CCおよび対応するスイッチング先UL  CCを示すために使用されうる。
【００８２】
コード３：
【表３】
2021503834.tif 000005
【００８３】
任意的に、UEレベルのPUSCH構成情報、UEレベルのPUCCH構成情報、およびUEレベルのSRS構成情報が、RRC信号伝達を使用して構成される場合、RRC信号伝達はNCIF識別子をさらに含む。
【００８４】
たとえば、RRC信号伝達は、たとえば、RRC接続構成（connectionsetup）信号伝達、RRC接続再構成（connectionreconfiguration）信号伝達、またはRRC接続再確立（connectionreestablishment）信号伝達でありうる。RRC信号伝達は、無線資源構成情報（たとえば、RadiorResourceConfigDedicated）およびSUL無線資源構成情報（たとえば、SULRadioResourceConfigDedicated）の少なくとも一つを含んでいてもよい。RRC信号伝達が無線資源構成情報とSUL無線資源構成情報の両方を含む場合、無線資源構成情報は少なくとも一つのNCIF識別子（たとえば、NCIF1）に関連付けられ、SUL無線資源構成情報は少なくとも一つのNCIF識別子（たとえば、NCIF2）に関連付けられる。関連付けの仕方は限定されない。たとえば、識別子NCIF1およびRadioResourceConfigDedicatedは、RRC信号伝達における2つの情報要素であってもよく、NCIF1がRadioResourceConfigDedicated情報において担持されてもよい。識別子NCIF2およびSULRadioResourceConfigDedicatedは、RRC信号伝達のおける2つの情報要素であってもよく、識別子NCIF2がSULRadioResourceConfigDedicated情報において担持されてもよい。
【００８５】
無線資源構成情報は、非SUL構成情報（RadioResourceConfigULDedicated）を含んでいてもよい。任意的に、無線資源構成情報は、DL  UEレベルの構成情報をさらに含んでいてもよい。SUL無線資源構成情報は、SUL構成情報（RadioResourceConfigULDedicated）を含んでいてもよく、または他の構成情報を含んでいてもよい。本願では、メッセージの名前と情報要素の名前は単に例であり、他の名前が使用されてもよい。これは、本願において限定されない。
【００８６】
コード4に示されるように、RRCconnectionsetup信号伝達構成では、RadioResourceConfigDedicatedは識別子NCIF1に関連付けられ、SULRadioResourceConfigDedicatedは識別子NCIF2に関連付けられる。
【００８７】
コード４：
【表４】
2021503834.tif 000006
【００８８】
任意的に、コード５に示されるように、radioresourceconfigdedicatedでは、物理構成情報（physicalconfigdedicated）が識別子NCIF1に関連付けられ、SUL物理構成情報（SULphysicalconfigdedicated）が識別子NCIF2に関連付けられる。関連付けの仕方は限定されない。NCIF識別子は、physicalconfigdedicatedと並列であってもよいし、physicalconfigdedicated内で搬送されてもよい。NCIF識別子を構成する具体的な仕方は、前述の諸例によって限定されない。任意的に、physicalconfigdedicatedは、非SUL構成情報（physicalconfigULdedicated）を含んでいてもよく、任意的に、非SULのUEレベルの構成情報およびDL  UEレベルの構成情報をさらに含んでいてもよい。ここで、physicalSULconfigdedicatedは、SUL構成情報を含む。情報要素の特定の名称は、上記の態様に限定されない。
【００８９】
ここで、physicalconfigdedicatedは、UEレベルのPUSCH構成情報、UEレベルのPUCCH構成情報、UEレベルのPDCCH構成情報、および非SULキャリアについてのUEレベルのSRS構成情報を含み、SULphysicalconfigdedicatedは、UEレベルのPUSCH構成情報、UEレベルのSRS構成情報、およびSULについてのUEレベルのPUCCH構成情報を含む。任意的に、physicalconfigdedicatedは、非SUL構成情報を含んでいてもよく、physicalconfigdedicatedは、physicalconfigULdedicatedとして名前を変更されてもよい。任意的に、physicalconfigdedicatedは、非SULのUEレベルの構成情報と前記DL  UEレベルの構成情報とをさらに含んでいてもよい。ここで、SULphysicalconfigULdedicatedは、前記SUL構成情報を含む。情報要素の特定の名称は、上記の態様に限定されない。
【００９０】
コード５：
【表５】
2021503834.tif 000007
2021503834.tif 000008
【００９１】
任意的に、NCIF識別子は、セル識別子および／または上りリンク・キャリア識別子を含む。たとえば、サービスするセルがSULセルである場合、NCIF識別子は、セル識別子および上りリンク・キャリア識別子と等価であり；あるいはサービスするセルが、一つの上りリンク・キャリアおよび一つの下りリンク・キャリアのみを含むセルである場合、NCIF識別子は、セル識別子と等価である。
【００９２】
この実施形態では、NCIF識別子は、セル識別子および上りリンク・キャリア識別子に基づいて生成された識別子であってもよい。たとえば、SCellIndexおよびSCellSULIndexがNCIF識別子として使用されてもよい。あるいはまた、NCIF識別子は、セル識別子に基づいて生成された識別子であってもよい。別の構造を形成するために、NCIFに別の部分が加えられてもよいことが理解されうる。これは、本願の解決策におけるNCIFの機能には影響しない。
【００９３】
複数のNCIF識別子を含む一つのSULセルが、RRC信号伝達を使って構成される仕方は、上記の諸例に限定されないことを注意しておくべきである。
【００９４】
任意的に、複数のNCIF識別子を含む一つのSULセルが、RRC信号伝達を使って構成される例が、図10に示される。3.5G下りリンク（downlink、DL）キャリアおよび3.5G上りリンク（uplink、UL）キャリアがNCIF0に関連付けられ；1.8G  SULキャリアがNCIF1に関連付けられ、あるいは3.5G  DLキャリアおよび1.8G  SULキャリアがNCIF1に関連付けられる。よって、第一のキャリア情報および第二のキャリア情報は、NCIF識別子を使って表現されうる。RRC構成信号伝達が、UL  CC上のUL帯域幅BWP1の構成情報と、SUL  CC上のUL  BWP1の構成情報の両方を含む、またはRRC構成信号伝達がUL  CCおよびSUL  CCをアクティブにすることを明示的に示す場合、基地局gNBは、UL  CCおよびSUL  CC上のPUSCH伝送を動的にスケジュールしてもよく、あるいはUL  CCおよびSUL  CC上のPUSCH伝送を動的にスケジュールするようgNBを明示的に構成するために、RRC信号伝達が使用される。上りリンク・スケジューリング承認情報は、NCIF値を含み、スケジュールされたPUSCHが1.8G  SULキャリア上で伝送されるか3.5G  ULキャリア上で伝送されるかを示すために使われる。SULセルが複数のSULキャリアを含む場合、SULセルについて構成されたNCIF識別子の値は、1にSULキャリア数を加えたものに等しい。
【００９５】
帯域幅（bandwidth）は、周波数領域における一続きの資源のセグメントでありうる。帯域幅は、時に、帯域幅部分（bandwidth  part、BWP）、キャリア帯域幅部分（carrier  bandwidth  part）、サブバンド（subband）帯域幅、狭帯域（narrowband）帯域幅、または別の名称として言及されることがある。本願では、名称は限定されない。たとえば、一つのBWPはK（K＞0）個の隣接するサブキャリアを含む。あるいはまた、一つのBWPは、N（N＞0）個の重複しない隣接する資源ブロック（resource  block、RB）が位置された周波数領域資源であり、RBのサブキャリア間隔は、15kHz、30kHz、60kHz、120kHz、120kHz、240kHz、480kHz、または別の値であってもよい。あるいはまた、一つのBWPは、M（M＞0）個の重複しない隣接する資源ブロック・グループ（resource  block  group、RBG）が位置する周波数領域資源である。一つのRBGは、P（P＞0）個の隣接するRBを含み、RBのサブキャリア間隔は、15kHz、30kHz、60kHz、120kHz、240kHz、480kHz、または別の値であってもよい。
【００９６】
部分102。UEは、構成情報を受信し、構成情報に基づいて、SRSスイッチング元上りリンク・キャリアおよびSRSスイッチング先上りリンク・キャリアを決定する。
【００９７】
たとえば、UEは、第一の上りリンク・キャリア情報に基づいてSRSスイッチング元上りリンク・キャリアを決定し、第二の上りリンク・キャリア情報に基づいてSRSスイッチング先上りリンク・キャリアを決定してもよい。
【００９８】
たとえば、構成情報が構文解析〔パース〕された後、UEは、第一の上りリンク・キャリア情報に基づいてSRSスイッチング元上りリンク・キャリアを決定し、第二の上りリンク・キャリア情報に基づいてSRSスイッチング先上りリンク・キャリアを決定する。図5に示されるように、第一の上りリンク・キャリア情報がセル1の識別子と3.5G  ULキャリアの識別子とを含む場合、SRSスイッチング元上りリンク・キャリアは、セル1における3.5G  ULキャリアである。図6に示されるように、第二の上りリンク・キャリア情報がセル1の識別子と3.5G  ULキャリアの識別子とを含む場合、SRSスイッチング先上りリンク・キャリアはセル1における3.5G  ULキャリアである。図9に示されるように、第一の上りリンク・キャリア情報がNCIF1を含む場合、SRSスイッチング元上りリンク・キャリアはセル2内の3.5G  ULキャリアである。
【００９９】
本願のこの実施形態において提供されるSRS伝送方法によれば、ネットワーク装置がUEに、第一の上りリンク・キャリア情報および第二の上りリンク・キャリア情報を含む構成情報を送信する。UEは、第一の上りリンク・キャリア情報に基づいてSRSスイッチング元上りリンク・キャリアを決定し、第二の上りリンク・キャリア情報に基づいてSRSスイッチング先上りリンク・キャリアを決定する。スイッチング元UL  CCとしてSULセルが使用される場合、SULのRF機能が使用されるか、非SULのRF機能が使用されるかが決定されてもよい。SULセルがスイッチング先UL  CCとして使用される場合、SRSをSULキャリア上で送信するか、非SULキャリア上で送信するかが決定されてもよい。このようにして、SRS伝送の信頼性が確保される。
【０１００】
図11は、本願の別の実施形態による無線通信方法のフローチャートである。図4に示される実施形態に基づいて、本方法は、さらに下記を含む。
【０１０１】
部分201。ネットワーク装置が、下りリンク制御情報DCIをUEに送信する。
【０１０２】
たとえば、DCIは、非周期的A-SRSトリガー指示情報および上りリンク・キャリア識別子を含む。上りリンク・キャリア識別子は、第二の上りリンク・キャリアを示すために使用される。
【０１０３】
この実施形態では、UEが一つのサービスするセルのみをもって構成され、サービスするセルがSULセルである、またはUEのSRSスイッチング先上りリンク・キャリアがSULセルである場合、構成されたSRSがA-SRSであるときは、さらに、SULセル上のDL-DCIまたはグループ・レベルDCIによってトリガーされるA-SRSが、どの上りリンク・キャリア上のA-SRSであるかが示される必要がある。よって、A-SRSがトリガーされる上りリンク・キャリアが、DCIを使って示されてもよい。
【０１０４】
任意的に、構成情報はA-SRS識別子を含み、A-SRS識別子は第二の上りリンク・キャリアに関連付けられる。
【０１０５】
この実施形態では、セル内のSULキャリアおよび非SULキャリア上のA-SRS資源は、一様に番号付けされてもよく、各A-SRS識別子（インデックス）は、一つのUL  CC上の一つのA-SRSと関連付けられる。たとえば、図7のA-SRS資源は一様に番号付けされ、A-SRSインデックス1はセル1における3.5G  ULキャリアに関連付けられ、A-SRSインデックス2はセル1における1.8G  SULキャリアに関連付けられ、A-SRSインデックス3はセル2における3.5G  ULキャリアに関連付けられ、A-SRSインデックス4はセル2における1.8G  SULキャリアに関連付けられる。対応する上りリンク・キャリアは、A-SRSインデックスに基づいて決定されてもよい。一つの上りリンク・キャリアは、複数のA-SRS資源を含んでいてもよく、あるいはそれらのA-SRS資源に、上記の仕方を使って、一様に番号を付けてもよい。
【０１０６】
任意的に、グループ・レベルDCIの各情報ブロックに1ビットまたは複数ビットのSUL  CIFフィールドが追加されてもよく、SUL  CIFフィールが第二の上りリンク・キャリアを示すために使用される。
【０１０７】
ある設計では、各情報ブロックに要求されるビットの量は、SULセルに含まれる上りリンク・キャリアの数に関係する。Nビットが必要とされ、上りリンク・キャリア数はMであるとする。この場合、N＝log2Mである。
【０１０８】
任意的に、DCIは、A-SRSトリガー指示情報を担持し、上りリンク・キャリア情報は、非SULキャリアとしてあらかじめ定義されてもよい。
【０１０９】
任意的に、部分102における、構成情報に基づいてSRSスイッチング先上りリンク・キャリアを決定することの実装は、下記を含む。
【０１１０】
部分202。UEは、DCIを受信し、DCI内のA-SRSトリガー指示情報および上りリンク・キャリア識別子情報、ならびに部分102において受領された構成情報に基づいて、A-SRSスイッチング先上りリンク・キャリアを決定する。
【０１１１】
この実施形態では、第二の上りリンク・キャリア情報が構成情報において構成された後、SRSがA-SRSである場合、SRSスイッチング先上りリンク・キャリアは、第二の上りリンク・キャリア情報、A-SRSトリガー指示情報、および上りリンク・キャリア識別子情報に基づいて決定される必要がある。
【０１１２】
任意的に、構成されたSRSが半永続的（semi-persistent）SPS-SRSであるときは、図11の方法を参照されたい。
【０１１３】
本願のこの実施形態において提供されるSRS伝送方法によれば、ネットワーク装置は、A-SRSトリガー指示情報および／または上りリンク・キャリア識別子情報を担持するDCIをUEに送信する。UEは、第二の上りリンク・キャリア情報、A-SRSトリガー指示情報、および上りリンク・キャリア識別子情報に基づいて、SRSスイッチング先上りリンク・キャリアを決定する。特殊なSRSシナリオでは、SRSスイッチング元上りリンク・キャリアおよびSRSスイッチング先上りリンク・キャリアが決定されてもよい。よって、この方法は、より多くのシナリオで適用されうる。
【０１１４】
任意的に、図4から図11における任意の実施形態に基づいて、構成情報はさらに、UEグループ・レベルDCIの情報ブロック内の上りリンク・キャリアの位置を示すために使用され、前記上りリンク・キャリアは、PUSCH/PUCCHを送信するために使用されず、UEグループ・レベルDCIの前記情報ブロックは、SRS電力制御情報、A-SRSトリガー指示情報、およびPUSCH/PUCCHを送信するために使用されない上りリンク・キャリアの上りリンク・キャリア識別子情報のうちの少なくとも一つを含む。
【０１１５】
この実施形態では、UEが、PUSCH/PUCCHを送信するために使用されない最大N個（Nは正の整数、たとえばNは4または別の値）の上りリンク・キャリアをもって構成される場合、UEグループ・レベルDCI（グループDCI）は、複数の情報ブロックを含み、各情報ブロックは、SRS電力制御情報、A-SRSトリガー指示情報、およびPUSCH/PUCCHを送信するために使用されない上りリンク・キャリアの上りリンク・キャリア識別子情報のうちの少なくとも一つを含む。構成情報は、UEグループ・レベルDCIの情報ブロックにおける前記上りリンク・キャリアの位置を示す。すなわち、構成情報は、前記第二の上りリンク・キャリアを示し、ここで、前記上りリンク・キャリアはPUSCH/PUCCHを送信するために使用されない。たとえば、構成情報は、UEグループ・レベルDCIの情報ブロックにおける前記上りリンク・キャリアの対応する位置を示し、ここで、前記上りリンク・キャリアはPUSCH/PUCCHを送信するために使用されない。具体的には、情報ブロックは、前記第二の上りリンク・キャリア識別子情報、電力制御情報、またはA-SRSトリガー指示情報のうちの少なくとも一つを含む。
【０１１６】
たとえば、UEが最大4つのPUSCH/PUCCHなしキャリアをもって構成される場合、RRC信号伝達は、SCellの専用の物理資源構成情報要素を搬送する。SCellの専用の物理資源構成情報要素は、typeBの送信電力制御（transmit  power  control、TPC）構成情報要素を含み、構成情報要素は、グループ・レベルDCIにおけるSCellの対応するブロック位置を構成するために使用される。一つのUEは、グループ・レベルDCIにおける最大4つのブロックをもって構成される。周期的P-SRSがPUSCH/PUCCHなしキャリア上で伝送される必要がある場合、グループ・レベルDCI信号伝達は、TPC信号伝達のみを含む。A-SRSがPUSCH/PUCCHなしキャリア上に構成される場合、グループ・レベルDCI信号伝達は、TPC信号伝達、A-SRSトリガー指示情報、または上りリンク・キャリア指示情報のうちの少なくとも一つを含む。SPS-SRSがPUSCH/PUCCHなしキャリア上で構成される場合、グループ・レベルDCI信号伝達は、TPC信号伝達、SPS-SRSアクティブ化／非アクティブ化信号伝達、または上りリンク・キャリア指示情報のうちの少なくとも一つを含む。
【０１１７】
コード６に示されるように、typeBのTPC構成情報要素はPhysicalConfigDedicated内に構成される。
【０１１８】
コード６：
【表６】
2021503834.tif 000009
【０１１９】
任意的に、構成情報はさらに、PUSCH/PUCCHを送信するために使用されない上りリンク・キャリアが属するキャリア・グループのインデックスと、グループ内のキャリアのインデックスとを含む。
【０１２０】
この実施形態では、UEが、PUSCH/PUCCHを送信するために使用されないN個より多い（Nは正の整数、たとえばN＝4または他の値）上りリンク・キャリアを含むように構成され、PUSCH/PUCCHを送信するために使用されない前記N個より多い上りリンク・キャリアがM個のグループに構成される場合、構成情報は、さらに、PUSCH/PUCCHを送信するために使用されない上りリンク・キャリアが属するグループのインデックスと、上りリンク・キャリア識別子とを含み、グループのインデックスおよび上りリンク・キャリア識別子に基づいて、前記第二の上りリンク・キャリアが決定されうる。
【０１２１】
たとえば、UEが4つより多いPUSCH/PUCCHなしキャリアをもって構成される場合、RRC信号伝達は、専用の物理資源構成情報要素を運ぶ。専用の物理資源構成情報要素は、typeAのTPC構成情報要素を含み、typeAの構成情報要素は、PUSCH/PUCCHなしキャリアが属するキャリア・グループのインデックス（CCSetIndex）とグループ内でのキャリアのインデックス（CCIndexInOneCcSet）を構成するために使用される。typeAのTPC構成情報要素は、すべてのPUSCH/PUCCHなしキャリア情報を含んでいてもよい。P-SRSがPUSCH/PUCCHなしキャリア上で伝送される必要がある場合、グループ・レベルDCI信号伝達の情報ブロックは、キャリア・グループのインデックスおよびTPC信号伝達を含む。A-SRSがPUSCH/PUCCHなしキャリア上に構成される場合、グループ・レベルDCI信号伝達のブロックは、キャリア・グループのインデックスおよびTPC信号伝達を含み、A-SRSは、下りリンクDCIによってトリガーされ、下りリンクDCIは、上りリンク・キャリア・インデックス指示情報を含む。SPS-SRSがPUSCH/PUCCHなしキャリア上で構成される場合、グループ・レベルDCI信号伝達のブロックは、キャリア・グループのインデックスとTPC信号伝達とを含み、SPS-SRSアクティブ化／非アクティブ化信号伝達は、下りリンクDCIまたは媒体アクセス制御（media  access  control、MAC）制御要素（control  element、CE）によってトリガーされる。一つのUEは、グループ・レベルのDCI信号伝達における一つのブロックに対応する。グループ・レベルDCI信号伝達のブロック内のキャリア・グループのインデックスは、トリガーされたキャリア・グループを示すために使用され、ブロック内のTPCフィールドは、対応する第二の上りリンク・キャリア上のSRS電力制御コマンドを示す。
【０１２２】
コード7に示されるように、typeAのTPC構成情報要素は、physicalconfigdedicated内に構成される。
【０１２３】
コード７：
【表７】
2021503834.tif 000010
2021503834.tif 000011
【０１２４】
任意的に、SRSキャリア・スイッチングがSULセル内の非SULキャリアとSULキャリアとの間で実行される場合、スイッチング元UL  CCは、UEレベルSRS資源の構成中に示されてもよい。
【０１２５】
たとえば、UEは、PUSCHおよびSRSを1.8G  SULキャリア上で送信し、SRSのみを3.5G非SULキャリア上で送信するように構成される。3.5G非SULキャリアの専用の物理構成情報要素は、UEレベルの専用SRS構成情報のみを含み、専用SRS構成情報は、A-SRS構成情報、P-SRS構成情報、SPS-SRS構成情報を含んでいてもよい。したがって、コード8において、フィールドsrs-swtichFromServCellIndexはオプションのフィールドである。srs-swtichFromServCellIndexフィールドが存在する場合、構成される値はNCIF2である。これは、3.5G非SULキャリア上のSRS伝送がSULの無線周波数モジュールを使用する必要があることを意味する。フィールドsrs-swtichFromServCellIndexが存在しない場合、3.5G非SULキャリア上でのSRS伝送はSULキャリアの無線周波数モジュールを使用する必要はない。
【０１２６】
UEレベルSRS資源の構成中のスイッチング元UL  CCを示すことの実装がコード8に示される。
【０１２７】
コード８：
【表８】
2021503834.tif 000012
【０１２８】
本願のある実施形態は、通信装置をさらに提供する。通信装置は、上記実施形態のいずれか一つによる方法を実行するように構成される。通信装置は、上記の方法実施形態を実行するための必要な手段を含む。手段は、ソフトウェアおよび／またはハードウェアを使って実装されうる。通信装置は、図1および図2におけるネットワーク装置または端末であってもよい。
【０１２９】
図12は、通信装置の概略構造図である。通信装置20は、図1および図2のネットワーク装置20であってもよい。ネットワーク装置は、上記の方法実施形態に記載される方法を実施するように構成されてもよい。詳細については、上記の方法実施形態の説明を参照されたい。
【０１３０】
通信装置20は、一つまたは複数のプロセッサ21を有する。プロセッサ21は、汎用プロセッサ、専用プロセッサ等であってもよい。たとえば、プロセッサ21は、ベースバンドプロセッサまたは中央処理装置であってもよい。ベースバンドプロセッサは、通信プロトコルおよび通信データを処理するように構成されてもよい。中央処理装置は、通信装置（たとえば、基地局、ベースバンドチップ、DU、またはCU）を制御し、ソフトウェアプログラムを実行し、ソフトウェアプログラムのデータを処理するように構成されてもよい。
【０１３１】
ある任意的な設計では、プロセッサ21は命令23をも含んでいてもよい。命令23は、プロセッサ21上で実行されて、通信装置20に、上記の方法実施形態に記載された方法を実行させてもよい。
【０１３２】
別の可能な設計では、通信装置20は回路を含んでいてもよい。回路は、上記の方法実施形態における送受信機能を実現してもよい。
【０１３３】
任意的に、通信装置20は、一つまたは複数のメモリ22を含んでいてもよい。メモリ22は命令24を記憶する。命令は、プロセッサ21上で実行されて、通信装置20に、上記の方法実施形態に記載された方法を実行させる。任意的に、メモリは、データをさらに記憶してもよい。任意的に、プロセッサは、代替的に、命令および／またはデータを記憶してもよい。プロセッサおよびメモリは、別々に配置されてもよく、または一緒に統合されてもよい。
【０１３４】
任意的に、通信装置20は、トランシーバ25および／またはアンテナ26をさらに含んでいてもよい。プロセッサ21は、処理ユニットと称されてもよく、通信装置（端末または基地局）を制御する。トランシーバ25は、トランシーバ・ユニット、トランシーバマシン、トランシーバ回路、トランシーバなどと称されてもよく、アンテナ26を使用して通信装置の送信および／または受信機能を実現するように構成されている。
【０１３５】
ある設計では、通信装置（たとえば、集積回路、無線装置、回路モジュール、ネットワーク装置、または端末装置）は、プロセッサおよびトランシーバを含んでいてもよい。たとえば、装置が前記ネットワーク装置の機能を実装するように構成される場合、図4では、トランシーバは構成情報をUEに送信してもよく、または、図11ではトランシーバがUEにDCIを送信する。たとえば、装置が端末の機能を実装するように構成される場合、図4では、トランシーバが構成情報を受信してもよく、プロセッサが、構成情報に基づいて、SRSキャリア・スイッチングのためのSRSスイッチング元上りリンク・キャリアおよびSRSスイッチング先上りリンク・キャリアを決定する；あるいは図11では、トランシーバがDCIを受信してもよく、プロセッサが、第二の上りリンク・キャリア情報、A-SRSトリガー指示情報、および上りリンク・キャリア識別子情報に基づいて、A-SRS送信のスイッチング先上りリンク・キャリアを決定する。
【０１３６】
本願に記載されるプロセッサおよびトランシーバは、集積回路（integrated  circuit、IC）、アナログIC、無線周波数集積回路RFIC、ハイブリッド信号IC、特定用途向け集積回路（application-specific  integrated  circuit、ASIC）、プリント回路基板（printed  circuit  board、PCB）、電子デバイスなどで実装されてもよい。プロセッサおよびトランシーバはまた、さまざまなIC技術、たとえば、相補型金属酸化物半導体（complementary  metal  oxide  semiconductor、CMOS）、n金属酸化物半導体（nMetal-oxide-semiconductor、NMOS）、正チャネル金属酸化物半導体（positive  channel  metal  oxide  semiconductor、PMOS）、バイポーラ接合トランジスタ（Bipolar  Junction  Transistor、BJT）、バイポーラCMOS（BiCMOS）、シリコンゲルマニウム（SiGe）、およびガリウムヒ素（GaAs）を使用して製造されてもよい。
【０１３７】
本願に記載される通信装置は、独立した装置であってもよく、または比較的大きな装置の一部であってもよい。たとえば、装置は下記のようなものであってもよい：
（1）独立した集積回路ICまたはチップ；
（2）一つまたは複数のICのセットであって、任意的に、ICセットはまた、データおよび／または命令を記憶するように構成された記憶コンポーネントをも含んでいてもよい；
（3）モデム（MSM）などのASIC；
（4）他のデバイスに埋め込まれることができるモジュール；
（5）受信機、携帯電話、無線装置、ハンドヘルド装置、移動体ユニット、ネットワーク装置等；
（6）他の装置等。
【０１３８】
図13は、端末の概略構造図である。UEは、図1に示されるシステムに適用されてもよい。説明を容易にするために、図13は、端末の主要なコンポーネントのみを示す。図13に示されるように、端末10は、プロセッサ、メモリ、制御回路、アンテナ、および入出力装置を含む。プロセッサは、主に、通信プロトコルおよび通信データを処理し、端末全体を制御し、ソフトウェアプログラムを実行し、ソフトウェアプログラムのデータを処理するように構成される。メモリは、主にソフトウェアプログラムおよびデータを記憶するように構成される。無線周波数回路は、主に、ベースバンド信号と無線周波数信号との変換を実行し、無線周波数信号を処理するように構成される。アンテナは、主に、電磁波の形で無線周波数信号を受信および送信するように構成される。タッチスクリーン、ディスプレイスクリーン、またはキーボードのような入出力装置は、主に、ユーザーによって入力されたデータを受領し、ユーザーにデータを出力するように構成される。
【０１３９】
ユーザー装置がオンにされた後、プロセッサは、記憶ユニットに記憶されたソフトウェアプログラムを読み出し、ソフトウェアプログラムの命令を説明し、実行し、ソフトウェアプログラムのデータを処理してもよい。データが無線で送られる必要があるとき、プロセッサは、送られるべきデータに対してベースバンド処理を実行し、ベースバンド信号を無線周波数回路に出力する。無線周波数回路がベースバンド信号に対して無線周波数処理を実行した後、無線周波数信号が、電磁波の形でアンテナを用いて送信される。データがユーザー装置に送信されると、無線周波数回路は、アンテナを使用して無線周波数信号を受信し、無線周波数信号をベースバンド信号に変換し、ベースバンド信号をプロセッサに出力する。プロセッサは、ベースバンド信号をデータに変換し、データを処理する。
【０１４０】
当業者は、説明を容易にするために、図13は一つのメモリと一つのプロセッサのみを示していることを理解するであろう。実際には、端末は、複数のプロセッサおよび複数のメモリを含んでいてもよい。メモリは、記憶媒体、記憶装置などと称されることもある。これは、本願のこの実施形態において限定されない。
【０１４１】
ある任意的な実装では、プロセッサは、ベースバンドプロセッサおよび中央処理装置を含んでいてもよい。ベースバンドプロセッサは、主に、通信プロトコルおよび通信データを処理するように構成される。中央処理装置は、主に、ユーザー装置全体を制御し、ソフトウェアプログラムを実行し、ソフトウェアプログラムのデータを処理するように構成される。図13のプロセッサは、ベースバンドプロセッサと中央処理装置の機能を統合する。当業者は、ベースバンドプロセッサと中央処理装置は、代替的には、独立したプロセッサであってもよく、バスのような技術を使用することによって相互接続されることを理解しうる。当業者は、ユーザー装置が、異なるネットワーク規格に適合するように複数のベースバンドプロセッサを含んでいてもよく、ユーザー装置は、ユーザー装置の処理能力を高めるために複数の中央処理装置を含んでいてもよく、ユーザー装置のさまざまなコンポーネントは、さまざまなバスを使用することによって接続されてもよいことを理解しうる。ベースバンドプロセッサは、ベースバンド処理回路またはベースバンド処理チップとして表現されてもよい。中央処理装置は、中央処理回路または中央処理チップとして表現されてもよい。通信プロトコルおよび通信データを処理する機能は、プロセッサに埋め込まれてもよく、またはソフトウェアプログラムの形で記憶ユニットに記憶されてもよい。プロセッサは、ベースバンド処理機能を実現するためにソフトウェアプログラムを実行する。
【０１４２】
たとえば、本発明のこの実施形態では、送信および／または受信機能を有するアンテナおよび制御回路が、UE  10のトランシーバ・ユニット11と考えられてもよく、処理機能を有するプロセッサがUE  10の処理ユニット12と考えられてもよい。図13に示されるように、UE  10は、トランシーバ・ユニット11と処理ユニット12とを含む。トランシーバ・ユニットは、トランシーバ、トランシーバマシン、トランシーバ装置などと称されてもよい。任意的に、トランシーバ・ユニット11内にあり、かつ、受信機能を実現するように構成されたコンポーネントが受信ユニットと考えられてもよく、トランシーバ・ユニット11内にあり、かつ、送信機能を実現するように構成されたコンポーネントが送信ユニットと考えられてもよい。換言すれば、トランシーバ・ユニット11は、受信ユニットおよび送信ユニットを含む。たとえば、受信ユニットは、受信機械、受信器、受信器回路などと称されてもよく、送信ユニットは、送信機械、送信器、送信回路などと称されてもよい。
【０１４３】
本願はさらに、命令を含むコンピュータ記憶媒体を提供する。該命令がコンピュータ上で命令が実行されると、コンピュータは、上記の方法実施形態に従って、端末側で技術的解決策を実行する。
【０１４４】
本願はさらに、命令を含むコンピュータ記憶媒体を提供する。該命令がコンピュータ上で実行されると、コンピュータは、上記の方法実施形態に従って、ネットワーク装置側で技術的解決策を実行する。
【０１４５】
本願はさらに、コンピュータ・プログラム製品を提供する。コンピュータ・プログラム製品がコンピュータ上で実行されると、コンピュータは、上記の方法実施形態に従って、端末側で技術的解決策を実行する。
【０１４６】
本願はさらに、コンピュータ・プログラム製品を提供する。コンピュータ・プログラム製品がコンピュータ上で実行されると、コンピュータは、上記の方法実施形態に従って、ネットワーク・デバイス側で技術的解決策を実行する。
【０１４７】
当業者は、さらに、本願の実施形態において挙げられたさまざまな例示的な論理ブロックおよびステップが、電子ハードウェア、コンピュータソフトウェア、またはそれらの組み合わせを使用して実装されうることを理解しうる。機能がハードウェアを使って実装されるかソフトウェアを使って実装されるかは、具体的な用途およびシステム全体の設計要件に依存する。当業者は、具体的な用途毎に、記載される機能を実現するためにさまざまな方法を用いることができるが、かかる実装が本願の実施形態の範囲を超えるものであると考えるべきではない。
【０１４８】
本願の実施形態において記載されるさまざまな例示的な論理ユニットおよび回路は、汎用プロセッサ、デジタル信号プロセッサ、特定用途向け集積回路（ASIC）、フィールド・プログラマブル・ゲート・アレイ（FPGA）、または他のプログラマブル論理装置、離散的ゲートもしくはトランジスタ論理、離散的ハードウェア・コンポーネント、またはそれらの任意の組み合わせの設計を使用することによって、記載される機能を実装するまたは動作させることができる。汎用プロセッサは、マイクロプロセッサであってもよい。任意的に、汎用プロセッサは、任意の従来のプロセッサ、コントローラ、マイクロコントローラ、または状態機械であってもよい。プロセッサは、デジタル信号プロセッサおよびマイクロプロセッサ、複数のマイクロプロセッサ、デジタル信号プロセッサコアを有する一つまたは複数のマイクロプロセッサ、または任意の他の同様の構成などのコンピューティング装置の組み合わせによって実装されうる。
【０１４９】
本願の実施形態に記載される方法またはアルゴリズムのステップは、ハードウェアに直接組み込まれてもよく、プロセッサによって実行されるソフトウェアユニットであってもよく、またはそれらの組み合わせであってもよい。ソフトウェアユニットは、RAMメモリ、フラッシュメモリ、ROMメモリ、EPROMメモリ、EEPROMメモリ、レジスタ、ハードディスク、リムーバブル磁気ディスク、CD-ROM、または当技術分野における他の任意の形の記憶媒体に記憶されてもよい。たとえば、記憶媒体は、プロセッサが記憶媒体から情報を読み出し、記憶媒体に情報を書き込むことができるように、プロセッサに接続されてもよい。任意的に、記憶媒体は、プロセッサに統合されてもよい。プロセッサおよび記憶媒体は、ASICに配置されてもよく、ASICは、UEに配置されてもよい。任意的に、プロセッサおよび記憶媒体は、代替的に、UEの異なるコンポーネントに配置されてもよい。
【０１５０】
上記の実施形態の全部または一部は、ソフトウェア、ハードウェア、ファームウェア、またはそれらの任意の組み合わせを使用することによって実装されうる。ソフトウェアを使用して実装される場合、実施形態の全部または一部は、コンピュータ・プログラム製品の形で実装されてもよい。コンピュータ・プログラム製品は、一つまたは複数のコンピュータ命令（時に、代替的に、コンピュータ・プログラムと称されることもある）を含む。コンピュータ命令がロードされ、コンピュータ上で実行されると、本願の実施形態による手順または機能が、全部または部分的に生成される。コンピュータは、汎用コンピュータ、専用コンピュータ、コンピュータ・ネットワーク、または他のプログラム可能な装置であってもよい。コンピュータ命令は、コンピュータ読取可能な記憶媒体に記憶されるか、またはコンピュータ読取可能な記憶媒体から別のコンピュータ読取可能な記憶媒体に送信される。たとえば、コンピュータ命令は、ウェブサイト、コンピュータ、サーバー、またはデータセンターから、別のウェブサイト、コンピュータ、サーバー、またはデータセンターに、有線（たとえば、同軸ケーブル、光ファイバー、またはデジタル加入者線（DSL））または無線（たとえば、赤外線、電波、またはマイクロ波）方式で、送信されうる。コンピュータ読取可能な記憶媒体は、コンピュータにとってアクセス可能な任意の利用可能な媒体、または一つまたは複数の利用可能な媒体を統合するサーバーまたはデータセンターのようなデータ記憶装置であってもよい。利用可能な媒体は、磁気媒体（たとえば、フロッピーディスク、ハードディスク、または磁気テープ）、光媒体（たとえば、DVD）、半導体媒体（たとえば、固体ディスクSolid  State  Disk（SSD））などでありうる。
【０１５１】
本願において、用語「含む」およびその変形は、非限定的な包含を指しうる；用語「または」およびその変形は「および／または」を指しうる。本願において、用語「第一」、「第二」などは、類似のオブジェクトの間の区別をするために意図されており、必ずしも特定の順序またはシーケンスを示すものではない。本願における「複数の」は、2つ以上を指す。「および／または」という用語は、関連するオブジェクト間の関連関係を記述し、3つの関係が存在しうることを表わす。たとえば、Aおよび／またはBは、Aのみが存在、AおよびBの両方が存在し、Bのみが存在という三つの場合を表わしうる。記号「／」は、一般に、関連するオブジェクト間の「または」関係を示す。
【０１５２】
本願に開示された内容は、記載された実施形態および設計に限定されず、本願の原理および本願において開示される新規な特徴と整合する最大の範囲にまでさらに拡張されうる。
【図１】
2021503834.tif 000013
【図２】
2021503834.tif 000014
【図３】
2021503834.tif 000015
【図４】
2021503834.tif 000016
【図５】
2021503834.tif 000017
【図６】
2021503834.tif 000018
【図７】
2021503834.tif 000019
【図８】
2021503834.tif 000020
【図９】
2021503834.tif 000021
【図１０】
2021503834.tif 000022
【図１１】
2021503834.tif 000023
【図１２】
2021503834.tif 000024
【図１３】
2021503834.tif 000025
【手続補正書】
【提出日】令和2年6月10日(2020.6.10)
【手続補正１】
【補正対象書類名】特許請求の範囲
【補正対象項目名】全文
【補正方法】変更
【補正の内容】
【特許請求の範囲】
【請求項１】
無線通信方法であって、
構成情報を受信する段階であって、前記構成情報は、第一の上りリンク・キャリア情報および第二の上りリンク・キャリア情報を含み、
前記第一の上りリンク・キャリア情報は、第一の上りリンク・キャリアが、探測参照信号（SRS）キャリア・スイッチングのためのスイッチング元上りリンク・キャリアであることを示し、前記第二の上りリンク・キャリア情報は、第二の上りリンク・キャリアが、前記SRSキャリア・スイッチングのためのスイッチング先上りリンク・キャリアであることを示し、前記第一の上りリンク・キャリアおよび前記第二の上りリンク・キャリアの少なくとも一つは、補足上りリンク（SUL）・キャリアを含むセルに属する、段階と；
前記構成情報に基づいて、前記SRSキャリア・スイッチングのための前記スイッチング元上りリンク・キャリアおよび前記スイッチング先上りリンク・キャリアを決定する段階とを含む、
方法。
【請求項２】
下りリンク制御情報（DCI）を受信する段階を含み、前記DCIは、非周期的な探測参照信号（A-SRS）トリガー指示情報と、前記第二の上りリンク・キャリアの上りリンク・キャリア識別子とを搬送する、
請求項１に記載の方法。
【請求項３】
無線通信方法であって：
探測参照信号（SRS）の構成情報を送信する段階であって、前記構成情報は第一の上りリンク・キャリア情報および第二の上りリンク・キャリア情報を含む、段階を含み、
前記第一の上りリンク・キャリア情報は、第一の上りリンク・キャリアがSRSキャリア・スイッチングのためのスイッチング元上りリンク・キャリアであることを示し、前記第二の上りリンク・キャリア情報は、第二の上りリンク・キャリアが前記SRSキャリア・スイッチングのためのスイッチング先上りリンク・キャリアであることを示し、前記第一の上りリンク・キャリアおよび前記第二の上りリンク・キャリアの少なくとも一つは、補足上りリンク（SUL）・キャリアを含むセルに属する、
方法。
【請求項４】
下りリンク制御情報DCIを送信する段階であって、前記DCIは、非周期的な探測参照信号（A-SRS）トリガー指示情報と、前記第二の上りリンク・キャリアの上りリンク・キャリア識別子とを搬送する、段階を含む、
請求項３に記載の方法。
【請求項５】
前記第一の上りリンク・キャリア情報は、スイッチング元セルのセル識別子と、前記スイッチング元上りリンク・キャリアを示すために使用される情報とを含む、請求項１ないし４のうちいずれか一項に記載の方法。
【請求項６】
前記第一の上りリンク・キャリアが属するスイッチング元セルが、上りリンクULキャリアおよび前記SULキャリアを含む、請求項１ないし５のうちいずれか一項に記載の方法。
【請求項７】
前記スイッチング元上りリンク・キャリアを示すために使用される前記情報が：成分キャリア・インデックス、上りリンク・インデックス、副次セルSULインデックス、またはキャリアを識別するために使用可能な情報のうちの一つまたは複数である、請求項５または６に記載の方法。
【請求項８】
前記スイッチング元上りリンク・キャリアを示すために使用される前記情報が、前記スイッチング元上りリンク・キャリアがULキャリアまたはSULキャリアであることを示す、請求項５または６に記載の方法。
【請求項９】
前記第二の上りリンク・キャリア情報は、スイッチング先セルを示すために使用される情報と、前記スイッチング先キャリアを示すために使用される情報とを含む、請求項１ないし８のうちいずれか一項に記載の方法。
【請求項１０】
前記第二の上りリンク・キャリアが属するセルが前記SULキャリアを含む前記セルである場合、前記第二の上りリンク・キャリアは非SULキャリアである、請求項１ないし９のうちいずれか一項に記載の方法。
【請求項１１】
前記第一の上りリンク・キャリアが属するセルが前記SULキャリアを含む前記セルである場合、前記第一の上りリンク・キャリアは、非物理上りリンク制御チャネル（非PUCCH）キャリアである、請求項１ないし１０のうちいずれか一項に記載の方法。
【請求項１２】
前記第一の上りリンク・キャリア情報および前記第二の上りリンク・キャリア情報の少なくとも一つは、新規キャリア・インジケーター・フィールド（NCIF）識別子であり、前記NCIF識別子は、前記第一の上りリンク・キャリアおよび前記第二の上りリンク・キャリアのうちの少なくとも一方を示す、請求項１ないし４のうちいずれか一項に記載の方法。
【請求項１３】
前記NCIF識別子が、セル識別子および上りリンク・キャリア識別子を含む、請求項１２に記載の方法。
【請求項１４】
前記構成情報は、UEグループ・レベルDCIの情報ブロックにおける上りリンク・キャリアの位置を示し、前記上りリンク・キャリアは、物理上りリンク共有チャネル／物理上りリンク制御チャネル（PUSCH/PUCCH）を送信するために使用されず、前記UEグループ・レベルDCIの前記情報ブロックは、SRS電力制御情報、A-SRSトリガー指示情報、および前記PUSCH/PUCCHを送信するために使用されない前記上りリンク・キャリアの上りリンク・キャリア識別子情報のうちの少なくとも一つを含む、請求項１ないし１３のうちいずれか一項に記載の方法。
【請求項１５】
前記構成情報は、前記PUSCH/PUCCHを送信するために使用されない前記上りリンク・キャリアが属するキャリア・セット・インデックスと、前記キャリア・セット内のキャリア・インデックスとを含む、請求項１ないし１３のうちいずれか一項に記載の方法。
【請求項１６】
通信装置であって、当該通信装置は、請求項１ないし１５のうちいずれか一項に記載の方法を実行するように構成される、通信装置。
【請求項１７】
通信装置であって、当該通信装置は、プロセッサと、メモリに含まれる命令とを備え、前記プロセッサが前記命令を実行するときに当該通信装置に請求項１ないし１５のうちいずれか一項に記載の方法を実施させる、通信装置。
【請求項１８】
命令を含むコンピュータ記憶媒体であって、前記命令がコンピュータ上で実行されると、前記コンピュータに請求項１ないし１５のうちいずれか一項に記載の方法を実行させる、コンピュータ記憶媒体。
【請求項１９】
コンピュータによって実行されると請求項１ないし１５のうちいずれか一項に記載の方法を前記コンピュータに実行させるコンピュータ・プログラム。
【請求項２０】
トランシーバ・ユニットと、処理ユニットとを有する端末であって、
前記トランシーバ・ユニットは、構成情報を受信するように構成され、前記構成情報は、第一の上りリンク・キャリア情報および第二の上りリンク・キャリア情報を含み、
前記第一の上りリンク・キャリア情報は、第一の上りリンク・キャリアが、探測参照信号（SRS）キャリア・スイッチングのためのスイッチング元上りリンク・キャリアであることを示し、前記第二の上りリンク・キャリア情報は、第二の上りリンク・キャリアが、前記SRSキャリア・スイッチングのためのスイッチング先上りリンク・キャリアであることを示し、前記第一の上りリンク・キャリアおよび前記第二の上りリンク・キャリアの少なくとも一つは、補足上りリンク（SUL）・キャリアを含むセルに属し；
前記処理ユニットは、前記構成情報に基づいて、前記SRSキャリア・スイッチングのための前記スイッチング元上りリンク・キャリアおよび前記スイッチング先上りリンク・キャリアを決定するよう構成されている、
端末。
【請求項２１】
前記トランシーバ・ユニットが、下りリンク制御情報（DCI）を受信するようさらに構成されており、前記DCIは、非周期的な探測参照信号（A-SRS）トリガー指示情報と、前記第二の上りリンク・キャリアの上りリンク・キャリア識別子とを搬送する、請求項２０に記載の端末。
【請求項２２】
前記処理ユニットが、前記スイッチング先上りリンク・キャリアを、前記第二の上りリンク・キャリア情報、前記A-SRSトリガー指示情報、および前記上りリンク・キャリア識別子に基づいて決定するよう構成されている、請求項２１に記載の端末。
【請求項２３】
前記第一の上りリンク・キャリア情報は、スイッチング元セルを示すために使用される情報と、前記スイッチング元キャリアを示すために使用される情報とを含む、請求項２０ないし２２のうちいずれか一項に記載の端末。
【請求項２４】
トランシーバ・ユニットと、処理ユニットとを有するネットワーク装置であって、前記トランシーバ・ユニットは：
探測参照信号（SRS）の構成情報を送信するよう構成されており、前記構成情報は第一の上りリンク・キャリア情報および第二の上りリンク・キャリア情報を含み、
前記第一の上りリンク・キャリア情報は、第一の上りリンク・キャリアがSRSキャリア・スイッチングのためのスイッチング元上りリンク・キャリアであることを示し、前記第二の上りリンク・キャリア情報は、第二の上りリンク・キャリアが前記SRSキャリア・スイッチングのためのスイッチング先上りリンク・キャリアであることを示し、前記第一の上りリンク・キャリアおよび前記第二の上りリンク・キャリアの少なくとも一つは、補足上りリンク（SUL）・キャリアを含むセルに属する、
ネットワーク装置。
【請求項２５】
前記トランシーバ・ユニットは、下りリンク制御情報DCIを送信するよう構成されており、前記DCIは、非周期的な探測参照信号（A-SRS）トリガー指示情報と、前記第二の上りリンク・キャリアの上りリンク・キャリア識別子とを搬送する、請求項２４に記載のネットワーク装置。
【請求項２６】
前記第一の上りリンク・キャリア情報は、前記スイッチング元セルのセル識別子と、前記スイッチング元キャリアを示すために使用される前記情報とを含む、請求項２０ないし２５のうちいずれか一項に記載の端末またはネットワーク装置。
【請求項２７】
前記第一の上りリンク・キャリアが属するスイッチング元セルが、上りリンクULキャリアおよび前記SULキャリアを含む、請求項２０ないし２５のうちいずれか一項に記載の端末またはネットワーク装置。
【請求項２８】
前記スイッチング元キャリアを示すために使用される前記情報が：成分キャリア・インデックス、上りリンク・インデックス、副次セルSULインデックス、またはキャリアを識別するために使用可能な情報のうちの一つまたは複数である、請求項２６または２７に記載の端末またはネットワーク装置。
【請求項２９】
前記スイッチング元キャリアを示すために使用される前記情報が、前記スイッチング元キャリアがULキャリアまたはSULキャリアであることを示す、請求項２６または２７に記載の端末またはネットワーク装置。
【請求項３０】
前記第二の上りリンク・キャリア情報は、スイッチング先セルを示すために使用される情報と、前記スイッチング先キャリアを示すために使用される情報とを含む、請求項２０ないし２９のうちいずれか一項に記載の端末またはネットワーク装置。
【請求項３１】
前記第二の上りリンク・キャリアが属するセルが前記SULキャリアを含む前記セルである場合、前記第二の上りリンク・キャリアは非SULキャリアである、請求項２０ないし３０のうちいずれか一項に記載の端末またはネットワーク装置。
【請求項３２】
前記第一の上りリンク・キャリアが属するセルが前記SULキャリアを含む前記セルである場合、前記第一の上りリンク・キャリアは、非物理上りリンク制御チャネル（非PUCCH）キャリアである、請求項２０ないし３１のうちいずれか一項に記載の端末またはネットワーク装置。
【請求項３３】
前記第一の上りリンク・キャリア情報および前記第二の上りリンク・キャリア情報の少なくとも一つは、新規キャリア・インジケーター・フィールド（NCIF）識別子であり、前記NCIF識別子は、前記第一の上りリンク・キャリアおよび／または前記第二の上りリンク・キャリアを示す、請求項２０ないし２５のうちいずれか一項に記載の端末またはネットワーク装置。
【請求項３４】
前記NCIF識別子が、セル識別子および前記上りリンク・キャリア識別子を含む、請求項３３に記載の端末またはネットワーク装置。
【請求項３５】
前記構成情報は、ユーザー装置UEグループ・レベルDCIの情報ブロックにおける上りリンク・キャリアの位置を示し、前記上りリンク・キャリアは、物理上りリンク共有チャネル／物理上りリンク制御チャネル（PUSCH/PUCCH）を送信するために使用されず、前記UEグループ・レベルDCIの前記情報ブロックは、SRS電力制御情報、A-SRSトリガー指示情報、および前記PUSCH/PUCCHを送信するために使用されない前記上りリンク・キャリアの上りリンク・キャリア識別子情報のうちの少なくとも一つを含む、請求項２０ないし３４のうちいずれか一項に記載の端末またはネットワーク装置。
【請求項３６】
前記構成情報は、前記PUSCH/PUCCHを送信するために使用されない前記上りリンク・キャリアが属するキャリア・セット・インデックスと、前記キャリア・セット内のキャリア・インデックスとをさらに含む、請求項２０ないし３４のうちいずれか一項に記載の端末またはネットワーク装置。
【請求項３７】
請求項２０ないし３６のうちいずれか一項に記載の端末およびネットワーク装置を有する通信システム。
【国際調査報告】
2021503834.tif 000026
2021503834.tif 000027
2021503834.tif 000028